(57)【要約】  本発明は、駆動部材を駆動するように構成可能な迅速解放装置に関する。駆動部材は、駆動部材を提供又は保持し、動作位置まで第１の方向に前記駆動部材を駆動することができる１次ドライバーを備える。駆動部材は、作動可能な２次ドライバーを更に備える。１次ドライバー及び２次ドライバーは、２次ドライバーが、第１の方向に１次ドライバーを駆動することができる第１のモードと、付勢力の影響下で２次ドライバーの位置に無関係に１次ドライバーが動作位置から離れるように移動されることを可能にする第２のモードとの間で構成可能である。【選択図】図１
2019512689.tif 000002
【特許請求の範囲】
【請求項１】
駆動部材を駆動するように構成可能な迅速解放装置であって、
ａ）駆動部材を提供又は保持し、動作位置まで第１の方向に前記駆動部材を駆動することができる１次ドライバーと、
ｂ）作動可能な２次ドライバーと、
を備え、
前記１次ドライバー及び前記２次ドライバーは、前記２次ドライバーが、前記第１の方向に前記１次ドライバーを駆動することができる第１のモードと、付勢力の影響下で前記２次ドライバーの位置に無関係に前記１次ドライバーが前記動作位置から離れるように移動されることを可能にする第２のモードとの間で構成可能である、迅速解放装置。
【請求項２】
駆動部材を駆動するように構成可能な装置であって、本体を備え、該本体は、
ａ）駆動部材を提供又は保持し、動作位置まで前記本体に対して第１の方向に前記駆動部材を駆動することができる１次ドライバーと、
ｂ）作動可能な２次ドライバーと、
を保持し、
前記２次ドライバー及び前記１次ドライバーは、互いに対して移動し、１つの相対的位置において、ともに結合させられ、ともに移動可能になり、前記本体に対して１つの位置にあるときに、付勢力の影響下で前記１次ドライバーを、前記動作位置から及び／又は前記第１の方向と逆の方向に後退させるように切離すことができる、装置。
【請求項３】
前記２次ドライバーは、前記動作位置に対する前記１次ドライバーの後退後に、前記第１の方向に再び駆動され、前記本体に対する前記第１の方向に前記１次ドライバーを駆動して、前記１次ドライバーの駆動ストロークを終了させることができる、請求項２に記載の装置。
【請求項４】
前記１次ドライバー及び前記２次ドライバーは、前記第１の方向と逆の方向（以降で、「第２の方向」）に移動するように付勢される、請求項２又は３に記載の装置。
【請求項５】
前記１次ドライバー及び前記２次ドライバーは、前記駆動ストロークの終了後に、前記第２の方向に付勢力下で移動させられる、請求項２〜４のいずれか１項に記載の装置。
【請求項６】
前記付勢力は、前記本体と、前記１次ドライバー及び前記２次ドライバーの一方又は両方と、前記２次ドライバーを作動させるアクチュエーターとの間で生成される、請求項５に記載の装置。
【請求項７】
前記１次ドライバー及び前記２次ドライバーは、前記第１の方向に前記２次ドライバーが移動すると、切離し後に互いに係合するように適合及び構成される、請求項２〜５のいずれか１項に記載の装置。
【請求項８】
前記１次ドライバーが前記第１の方向に駆動され、トリップ位置に達すると、前記ドライバーを、前記第１のモードの構成から前記第２のモードの構成にトリップさせるトリップを備える、請求項７に記載の装置。
【請求項９】
前記係合は、２つの表面接触によって起こる、請求項７又は８に記載の装置。
【請求項１０】
前記係合は、切離し後にドッグの選択的係合によって起こる、請求項７〜９のいずれか１項に記載の装置。
【請求項１１】
前記１次ドライバー及び前記２次ドライバーは、一方を他方の内部で伸縮させることによって互いに対して移動することができる、請求項２〜１０のいずれか１項に記載の装置。
【請求項１２】
前記１次ドライバー及び前記２次ドライバーの一方又は他方は、外方に突出する肩部を有し、前記２次ドライバーが前記第１の方向に移動するときの、切離し後の互いに対する係合は、一方のドライバーの肩部と他方のドライバーの表面との間の干渉によって起こる、請求項７〜１０のいずれか１項に記載の装置。
【請求項１３】
前記１次ドライバー及び前記２次ドライバーのそれぞれは、外方に突出する肩部を有し、前記２次ドライバーが前記第１の方向に移動するときの、切離し後の互いに対する係合は、前記肩部の間の干渉によって起こる、請求項１２に記載の装置。
【請求項１４】
組織穿孔パンチを駆動するように構成可能な装置であって、本体を備え、該本体は、
ａ）前記パンチに（直接的に又は間接的に）係合する１次ドライバーと、
ｂ）作動可能な２次ドライバーと、
を保持し、
前記２次ドライバーは、後退位置から伸長位置まで前記本体に対して移動するように作動させることができ、前記１次ドライバーは、前記２次ドライバーが前記後退位置と前記伸長位置との間の或る地点にあるときに前記１次ドライバーが前記２次ドライバーから一時的に切離されているときを除いて、前記後退位置と前記伸長位置との間で前記伸長位置まで移動するときに、前記２次ドライバーに解放可能に結合されることによって、前記本体に対して前記２次ドライバーによって駆動することができ、また、付勢力下で、前記２次ドライバーが該２次ドライバーの伸長位置に向かって移動するときに前記１次ドライバーと前記２次ドライバーとの間に第２の結合が確立されるまで、前記伸長位置から離れるように移動される、装置。
【請求項１５】
前記パンチは、サンプル収集器組立体の一部であり、該サンプル収集器組立体は、少なくとも、パンチ、プランジャー、及びサンプル収集器ドライバーを備え、前記１次ドライバーは、前記サンプル収集器ドライバーに（直接的に又は間接的に）係合する、請求項１４に記載の装置。
【請求項１６】
前記２次ドライバーの後退位置から前記２次ドライバーの伸長位置までの前記２次ドライバーの移動により、前記１次ドライバーが前記本体に対する後退位置から前記本体に対する伸長位置まで移動する完全な駆動ストロークにわたって前記１次ドライバーが駆動される、請求項１４又は１５に記載の装置。
【請求項１７】
格納コンテナー内に対してサンプリング組立体を駆動し、生物学的サンプルをアイテムから収集し、前記格納コンテナー内に放出する装置であって、前記サンプリング組立体は、
ａ）サンプル収集器であって、
カッターを一端に提示するパンチであって、それにより、該パンチが前記アイテムを貫通して又は前記アイテムを越えて通過するとき、前記アイテムからサンプルを切除し保持する、パンチと、
前記パンチによって摺動可能に支持されて、前記パンチに対して後退位置と前進位置との間で移動できるプランジャーであって、前記後退位置から前記前進位置への移動は、使用中に、前記カッターに保持されたサンプルを、前記カッターから変位させる、プランジャーと、
を備える、サンプル収集器と、
ｂ）ツールドライバーであって、
前記サンプル収集器に伸縮自在に相互接続する本体であって、伸縮的にコンパクトな位置において、ツールドライバーは、前記プランジャーを前記後退位置に維持しながら、前記アイテムを貫通して前記サンプル収集器を駆動することができるため、サンプルは、前記カッターによって切除して保持することができ、伸縮的に拡張した位置において、該ツールドライバーは、前記アイテムを貫通して前記収集器を駆動するときと同じ方向に駆動され、前記プランジャーを該プランジャーの後退位置から該プランジャーの前進位置まで移動させることができる、本体、
を備える、ツールドライバーと、
を備え、
該装置は、前記格納コンテナーを保持することができる格納コンテナー保持領域と、サンプリングされるアイテムの一部を設置するためのギャップを画定するために、前記サンプリング組立体を離間して保持することができるサンプリング組立体保持領域とを有する本体を備え、該本体は、
ａ）前記ツールドライバーに（直接的に又は間接的に）係合する１次ドライバーと、
ｂ）作動可能な２次ドライバーと、
を保持し、
前記２次ドライバーは、後退位置から伸長位置まで前記本体に対して移動するように作動させることができ、前記１次ドライバーは、前記２次ドライバーが前記後退位置と前記伸長位置との間の或る地点にあるときに前記１次ドライバーが前記２次ドライバーから一時的に切離されているときを除いて、前記後退位置と前記伸長位置との間で前記伸長位置まで移動するときに、前記２次ドライバーに解放可能に結合されることによって、前記本体に対して前記２次ドライバーによって駆動することができ、また、付勢力下で、前記２次ドライバーが該２次ドライバーの伸長位置に向かって移動するときに前記１次ドライバーと前記２次ドライバーとの間に第２の結合が確立されるまで、前記伸長位置から離れるように移動され、前記１次ドライバーの前記伸長位置から離れる移動は、前記サンプル収集器及び前記ツールドライバーを、伸縮的に拡張した位置に移動させるため、前記第２の結合が確立されると、前記２次ドライバーによる前記１次ドライバーの駆動は、前記プランジャーを該プランジャーの前進位置まで移動させることになる、装置。
【請求項１８】
前記アイテムは、前記伸長位置から離れる前記移動後に、前記サンプル収集器によって穿孔される、請求項１７に記載の装置。
【請求項１９】
前記伸長位置から離れる前記移動は、前記１次ドライバーが伸長方向において該１次ドライバーの限界に達してしまう前に起こる、請求項１８に記載の装置。
【請求項２０】
前記伸長位置から離れる前記移動は、前記１次ドライバーが伸長方向において該１次ドライバーの限界に達してしまう前に、かつ、前記ツールドライバーが前記伸長位置から離れるように移動するときに前記パンチが前記ツールドライバーとともに移動することに抵抗するように、前記パンチが前記格納コンテナーによって収納され、前記格納コンテナーによって保持されるときに起こる、請求項１８に記載の装置。
【請求項２１】
前記１次ドライバーは、前記ツールドライバーを前記駆動方向及び前記後退方向に移動させることができるように前記ツールドライバーに係合する、請求項１８〜２０のいずれか１項に記載の装置。
【請求項２２】
前記１次ドライバー及び前記２次ドライバーはともに、前記２次ドライバーの前記伸長位置から離れかつ前記後退位置に向かって戻る方向に移動するように付勢される、請求項１８〜２１のいずれか１項に記載の装置。
【請求項２３】
前記１次ドライバー及び前記２次ドライバーは、前記１次ドライバーが前記伸長方向において該１次ドライバーの限界に達した後に、前記２次ドライバーの前記伸長位置から離れかつ前記後退位置に向かって戻る方向に付勢力の下で移動させられる、請求項１８〜２１のいずれか１項に記載の装置。
【請求項２４】
前記付勢力は、前記本体と、前記１次ドライバー及び前記２次ドライバーの一方又は両方と、前記２次ドライバーを作動させるアクチュエーターとの間で生成される、請求項２２又は２３に記載の装置。
【請求項２５】
組織穿孔パンチを駆動するように構成可能な装置であって、本体を備え、該本体は、
ａ）前記パンチに（直接的に又は間接的に）係合する１次ドライバーと、
ｂ）作動可能な２次ドライバーと、
を保持し、
前記２次ドライバーは、後退位置から伸長位置まで前記本体に対して移動するように作動させることができ、前記後退位置から前記伸長位置まで移動するとき、
ｉ．前記後退位置で、また前記伸長位置で、又は前記後退位置と前記伸長位置との間で、前記１次ドライバーは、前記２次ドライバーに結合して、初期送出しストロークのために前記２次ドライバーとともに移動し、
ｉｉ．前記後退位置と前記伸長位置との間で、前記初期送出しストローク後に、前記１次ドライバーは、前記２次ドライバーから切離されて、付勢力の影響下で、前記後退位置の方向に移動し、
ｉｉｉ．切離し後に、前記１次ドライバーは、前記２次ドライバーに結合して、最終送出しストロークのために前記２次ドライバーとともに移動し、
前記１次ドライバーは、前記２次ドライバーが前記後退位置と前記伸長位置との間の或る地点にあるときに前記１次ドライバーが前記２次ドライバーから一時的に切離されているときを除いて、前記後退位置と前記伸長位置との間で前記伸長位置まで移動するときに、前記２次ドライバーに解放可能に結合されることによって、前記本体に対して前記２次ドライバーによって駆動することができ、また、付勢力下で、前記２次ドライバーが該２次ドライバーの伸長位置に向かって移動するときに前記１次ドライバーと前記２次ドライバーとの間に第２の結合が確立されるまで、前記伸長位置から離れるように移動される、装置。
【発明の詳細な説明】
【技術分野】
【０００１】
本発明は、迅速解放駆動ツールに関し、唯一ではないが特に、生物学的サンプルを収集するこうしたツールに関する。
【背景技術】
【０００２】
（後のＤＮＡ試験のため等で）家畜、他の動物、及び植物の組織サンプリングを容易にするために、生きている動物／植物から組織サンプルを得ることが必要である場合がある。通常、手持ち式デバイスが、現場において生きている動物／植物から組織サンプルを得るために使用される。こうした手持ち式デバイスが使用されて、動物又は植物の表皮に穿孔し、それにより、動物又は植物からサンプルを取出す又は収集することができる。
【０００３】
組織の穿孔は、動物にとって或る程度の痛み及び恐怖をもたらす可能性がある。動物が、例えば、サンプリング又はタグ付け作業が終了する前に体を引くことによって反応する場合、これは、動物、デバイス、又はデバイスのオペレーターに対して損傷及び／又はダメージをもたらす可能性があり、作業の成功を損なう場合がある。
【０００４】
一部の用途において、サンプルを得たら、このサンプルをコンテナーに格納することが望ましい。時として、コンテナーは、現場において動物／植物からサンプルを得るために使用される手持ち式サンプリングデバイスによって保持される場合がある。一例は特許文献１に示されている。サンプリング作業中の動物又は植物の移動は、コンテナーからのサンプルの脱落及び／又は手持ち式デバイスからのコンテナーの脱落をもたらす可能性がある。したがって、サンプルを失うリスクを低減するために、サンプルが得られた後、出来る限り早急にサンプルをコンテナーに入れ、コンテナーをシールすることが望ましい。これは、異物がサンプルコンテナーに入って、サンプルを汚染するリスクも減少させる。
【０００５】
サンプルコンテナーの手作業による蓋締めは、時間がかかる可能性があり、また、例えば、特定のコンテナーをシールするように指定されたサンプルコンテナーキャップが、異なるコンテナーをシールするために意図的に又は意図せずに入れ替えられる場合、エラーをもたらす場合がある。しかし、サンプルをコンテナーに入れて蓋締めすることが手作業で行われるのではなく、むしろサンプリングデバイスによって自動的に実施される場合、同じデバイスで複数のサンプルを処理する結果として、サンプル材料の相互汚染に関する問題が存在する可能性がある。
【先行技術文献】
【特許文献】
【０００６】
【特許文献１】国際公開第２０１４／１９６８７７号
【発明の概要】
【発明が解決しようとする課題】
【０００７】
したがって、上記欠点の一部を克服する若しくは少なくとも部分的に軽減する、又は、大衆に有用な選択肢を少なくとも提供する迅速解放駆動ツールを提供することが本発明の目的である。
【０００８】
本明細書で使用される場合、組織は、生物の任意の部分、特に、同様の細胞でできた任意の部分、又は、同様の機能を実施する任意の単数若しくは複数の部分を意味する。組織は、好ましくは、植物、並びに、特に、豚、ヤギ、畜牛、羊、家禽、及び魚を含む動物からの、任意の形態の生物学的サンプルを指す。生物学的サンプルは、例えば、肉、血液、毛、毛皮、唾液、汗、尿等のような動物組織、又は、葉、樹皮、根、若しくは木等の植物組織、又は、植物若しくは動物の任意の他の部分であるが特に同様の細胞でできた若しくは同様の機能を実施する任意の他の部分を含むことができる。
【０００９】
本発明は、少なくとも、生産用動物及び伴侶動物のいずれか又は両方のために使用することができる。生産用動物は、ウシ亜科の動物、豚、鹿、及び羊を含むことができるが、それに限定されないことが想定される。さらに、伴侶動物は、馬、猫、及び犬を含むことができるが、それに限定されないことが想定される。
【００１０】
本明細書において、特許明細書及び他の文書を含む外部情報源に対して参照が行われる場合、これは、一般的に、本発明の特徴を論じるためにコンテキストを提供するためのものである。別途特に述べない限り、こうした情報源に対する参照は、こうした情報源が、任意の管轄条項において、従来技術である又は当技術分野における共通で一般的な知識の一部を形成するという承認として解釈されない。
【課題を解決するための手段】
【００１１】
第１の態様において、本発明は、駆動部材を駆動するように構成可能な迅速解放装置であって、
ａ）駆動部材を提供又は保持し、動作位置まで第１の方向に駆動部材を駆動することができる１次ドライバーと、
ｂ）作動可能な２次ドライバーと、
を備え、
上記１次ドライバー及び上記２次ドライバーは、２次ドライバーが、第１の方向に１次ドライバーを駆動することができる第１のモードと、付勢力の影響下で２次ドライバーの位置に無関係に１次ドライバーが動作位置から離れるように移動されることを可能にする第２のモードとの間で構成可能である、迅速解放装置であると述べることができる。
【００１２】
第２の態様において、本発明は、駆動部材を駆動するように構成可能な装置であって、本体を備え、本体は、
ａ）駆動部材を提供又は保持し、動作位置まで本体に対して第１の方向に駆動部材を駆動することができる１次ドライバーと、
ｂ）作動可能な２次ドライバーと、
を保持し、
２次ドライバー及び１次ドライバーは、互いに対して移動し、１つの相対的位置において、ともに結合させられ、ともに移動可能になり、本体に対して１つの位置にあるときに、付勢力の影響下で１次ドライバーを動作位置から及び／又は上記第１の方向と逆の方向に後退させるように切離すことができる、装置であると述べることができる。
【００１３】
好ましくは、２次ドライバーは、動作位置に対する１次ドライバーの後退後に、第１の方向に再び駆動され、本体に対する第１の方向に１次ドライバーを駆動して、１次ドライバーの駆動ストロークを終了させることができる。
【００１４】
好ましくは、１次ドライバー及び２次ドライバーは、第１の方向と逆の方向（以降で、「第２の方向」）に移動するように付勢される。
【００１５】
好ましくは、１次ドライバー及び２次ドライバーは、駆動ストロークの終了後に、第２の方向に付勢力下で移動させられる。
【００１６】
好ましくは、付勢力は、本体と、１次ドライバー及び２次ドライバーの一方又は両方と、２次ドライバーを作動させるアクチュエーターとの間で生成される。
【００１７】
好ましくは、アクチュエーターはレバーである。
【００１８】
好ましくは、１次ドライバーは、完全な駆動ストロークにわたって駆動されて、サンプルが採取されるアイテムに対して又はアイテムを貫通して駆動部材を押すことができ、完全な駆動ストロークを終了する前に、切離し相対位置に達する。
【００１９】
好ましくは、動作位置からの後退は、必ずしも駆動ストロークの最初に戻ることではない。上記後退は、好ましくは、第２の方向への移動である。
【００２０】
好ましくは、駆動部材は、組織穿孔パンチである。
【００２１】
好ましくは、動作位置は、組織穿孔動作位置である。
【００２２】
好ましくは、装置は、手持ち式装置である。
【００２３】
好ましくは、１次ドライバー及び２次ドライバーは、第１の方向に２次ドライバーが移動すると、切離し後に互いに係合するように適合及び構成される。
【００２４】
好ましくは、装置は、１次ドライバーが第１の方向に駆動され、トリップ位置に達すると、ドライバーを、第１のモードの構成から第２のモードの構成にトリップさせる（trip：掛けはずす）トリップを備える。
【００２５】
好ましくは、係合は、２つの表面接触によって起こる。
【００２６】
好ましくは、係合は、切離し後にドッグの選択的係合によって起こる。
【００２７】
好ましくは、１次ドライバー及び２次ドライバーは、一方を他方の内部で伸縮させることによって互いに対して移動することができる。
【００２８】
好ましくは、１次ドライバー及び２次ドライバーの一方又は他方は、外方に突出する肩部を有し、２次ドライバーが第１の方向に移動するときの、切離し後の互いに対する係合は、一方のドライバーの肩部と他方のドライバーの表面との間の干渉によって起こる。
【００２９】
好ましくは、１次ドライバー及び２次ドライバーのそれぞれは、外方に突出する肩部を有し、２次ドライバーが第１の方向に移動するときの、切離し後の互いに対する係合は、肩部の間の干渉によって起こる。
【００３０】
更なる態様において、本発明は、組織穿孔パンチを駆動するように構成可能な装置であって、本体を備え、本体は、
ａ）パンチに（直接的に又は間接的に）係合する１次ドライバーと、
ｂ）作動可能な２次ドライバーと、
を保持し、
２次ドライバーは、後退位置から伸長位置まで本体に対して移動するように作動させることができ、１次ドライバーは、上記２次ドライバーが上記後退位置と上記伸長位置との間の或る地点にあるときに１次ドライバーが上記２次ドライバーから一時的に切離されているときを除いて、上記後退位置と上記伸長位置との間で伸長位置まで移動するときに、上記２次ドライバーに解放可能に結合されることによって、上記本体に対して上記２次ドライバーによって駆動することができ、また、付勢力下で、２次ドライバーが２次ドライバーの伸長位置に向かって移動するときに１次ドライバーと２次ドライバーとの間に第２の結合が確立されるまで、伸長位置から離れるように移動される、装置であると述べることができる。
【００３１】
好ましくは、パンチは、サンプル収集器組立体の一部であり、サンプル収集器組立体は、少なくとも、パンチ、プランジャー、及びサンプル収集器ドライバーを備え、１次ドライバーは、サンプル収集器ドライバーに（直接的に又は間接的に）係合する。
【００３２】
好ましくは、２次ドライバーの後退位置から２次ドライバーの伸長位置までの２次ドライバーの移動により、１次ドライバーが本体に対する後退位置から本体に対する伸長位置まで移動する完全な駆動ストロークにわたって１次ドライバーが駆動される。
【００３３】
好ましくは、１次ドライバー及び２次ドライバーはともに、２次ドライバーの伸長位置から離れかつ後退位置に向かって戻る方向に移動するように付勢される。
【００３４】
好ましくは、１次ドライバー及び２次ドライバーは、駆動ストロークの終了後に、２次ドライバーの伸長位置から離れかつ後退位置に向かって戻る方向に付勢力の下で移動させられる。
【００３５】
好ましくは、付勢力は、本体と、１次ドライバー及び２次ドライバーの一方又は両方と、２次ドライバーを作動させるアクチュエーター（例えば、本明細書で述べるレバー）との間で生成される。
【００３６】
好ましくは、１次ドライバーは、完全な駆動ストロークにわたって駆動されて、組織サンプルが採取されるアイテムを貫通してパンチを押すことができ、完全な駆動ストロークを終了する前に、１次ドライバーと２次ドライバーとの一時的な切離しが起こる。
【００３７】
好ましくは、伸長位置から離れる１次ドライバーの移動は、必ずしも駆動ストロークの最初に戻ることではない。上記移動は、好ましくは、後退位置に向かう移動である。
【００３８】
好ましくは、１次ドライバー及び２次ドライバーは、第２の結合を確立するために互いに係合するように適合及び構成される。
【００３９】
好ましくは、係合は、２つの表面接触によって起こる。
【００４０】
好ましくは、係合は、ドッグ（例えば、デテント）の選択的係合によって起こる。
【００４１】
好ましくは、１次ドライバー及び２次ドライバーは、一方を他方の内部で伸縮させることによって互いに対して移動することができる。
【００４２】
好ましくは、１次ドライバー及び２次ドライバーの一方又は他方は、外方に突出する肩部を有し、第２の結合は、一方のドライバーの肩部と他方のドライバーの表面との間の干渉によって確立される。
【００４３】
好ましくは、１次ドライバー及び２次ドライバーのそれぞれは、外方に突出する肩部を有し、第２の結合は、肩部の間の干渉によって確立される。
【００４４】
また更なる態様において、本発明は、格納コンテナーに対してサンプリング組立体を駆動し、生物学的サンプルをアイテムから収集し、格納コンテナー内に放出する装置であって、上記サンプリング組立体は、
ａ）サンプル収集器であって、
カッターを一端に提示するパンチであって、それにより、パンチがアイテムを貫通して又はアイテムを越えて通過するとき、アイテムからサンプルを切除し保持する、パンチと、
上記パンチによって摺動可能に支持されて、上記パンチに対して後退位置と前進位置との間で移動できるプランジャーであって、後退位置から前進位置への移動は、使用中に、カッターに保持されたサンプルを、カッターから変位させる、プランジャーと、
を備える、サンプル収集器と、
ｂ）ツールドライバーであって、
上記サンプル収集器に伸縮自在に相互接続する本体であって、伸縮的にコンパクトな位置において、ツールドライバーは、プランジャーを後退位置に維持しながら、アイテムを貫通してサンプル収集器を駆動することができるため、サンプルは、カッターによって切除して保持することができ、伸縮的に拡張した位置において、ツールドライバーは、アイテムを貫通してサンプル収集器を駆動するときと同じ方向に駆動され、プランジャーをプランジャーの後退位置からプランジャーの前進位置まで移動させることができる、本体、
を備える、ツールドライバーと、
を備え、
装置は、上記格納コンテナーを保持することができる格納コンテナー保持領域と、サンプリングされるアイテムの一部を設置するためのギャップを画定するために、サンプリング組立体が離間して保持されることができるサンプリング組立体保持領域とを有する本体を備え、本体は、
ａ）ツールドライバーに（直接的に又は間接的に）係合する１次ドライバーと、
ｂ）作動可能な２次ドライバーと、
を保持し、
２次ドライバーは、後退位置から伸長位置まで本体に対して移動するように作動させることができ、１次ドライバーは、上記２次ドライバーが上記後退位置と上記伸長位置との間の或る地点にあるときに１次ドライバーが上記２次ドライバーから一時的に切離されているときを除いて、上記後退位置と上記伸長位置との間で伸長位置まで移動するときに、上記２次ドライバーに解放可能に結合されることによって、上記本体に対して上記２次ドライバーによって駆動することができ、また、付勢力下で、２次ドライバーが２次ドライバーの伸長位置に向かって移動するときに１次ドライバーと２次ドライバーとの間に第２の結合が確立されるまで、伸長位置から離れるように移動され、１次ドライバーの伸長位置から離れる移動は、サンプル収集器及びツールドライバーを、伸縮的に拡張した位置に移動させるため、第２の結合が確立されると、２次ドライバーによる１次ドライバーの駆動は、プランジャーがプランジャーの前進位置まで移動させることになる、装置であると述べることができる。
【００４５】
好ましくは、アイテムは、伸長位置から離れる移動後に、サンプル収集器によって穿孔される。
【００４６】
好ましくは、伸長位置から離れる移動は、１次ドライバーが伸長方向において１次ドライバーの限界に達してしまう前に起こる。
【００４７】
好ましくは、伸長位置から離れる移動は、１次ドライバーが伸長方向において１次ドライバーの限界に達してしまう前に、かつ、ツールドライバーが伸長位置から離れるように移動するときにパンチがツールドライバーとともに移動することに抵抗するように、上記パンチが上記格納コンテナーによって収納され、上記格納コンテナーによって保持されるときに起こる。
【００４８】
好ましくは、１次ドライバーは、ツールドライバーを駆動方向及び後退方向に移動させることができるようにツールドライバーに係合する。
【００４９】
好ましくは、１次ドライバー及び２次ドライバーはともに、２次ドライバーの伸長位置から離れかつ後退位置に向かって戻る方向に移動するように付勢される。
【００５０】
好ましくは、１次ドライバー及び２次ドライバーは、１次ドライバーが伸長方向において１次ドライバーの限界に達した後に、２次ドライバーの伸長位置から離れかつ後退位置に向かって戻る方向に付勢力の下で移動させられる。
【００５１】
好ましくは、付勢力は、本体と、１次ドライバー及び２次ドライバーの一方又は両方と、２次ドライバーを作動させるアクチュエーターとの間で生成される。
【００５２】
好ましくは、伸長位置から離れる１次ドライバーの移動は、必ずしも後退方向においてその限界まで戻ることではない。上記移動は、好ましくは、後退位置に向かう移動である。
【００５３】
好ましくは、１次ドライバー及び２次ドライバーは、第２の結合を確立するために互いに係合するように適合及び構成される。
【００５４】
好ましくは、係合は、２つの表面接触によって起こる。
【００５５】
好ましくは、係合は、ドッグ（例えば、デテント）の選択的係合によって起こる。
【００５６】
好ましくは、１次ドライバー及び２次ドライバーは、一方を他方の内部で伸縮させることによって互いに対して移動することができる。
【００５７】
好ましくは、１次ドライバー及び２次ドライバーの一方又は他方は、外方に突出する肩部を有し、第２の結合は、一方のドライバーの肩部と他方のドライバーの表面との間の干渉によって確立される。
【００５８】
好ましくは、１次ドライバー及び２次ドライバーのそれぞれは、外方に突出する肩部を有し、第２の結合は、肩部間の干渉によって確立される。
【００５９】
また更なる態様において、本発明は、組織穿孔パンチを駆動するように構成可能な装置であって、本体を備え、本体は、
ａ）パンチに（直接的に又は間接的に）係合する１次ドライバーと、
ｂ）作動可能な２次ドライバーと、
を保持し、
２次ドライバーは、後退位置から伸長位置まで本体に対して移動するように作動させることができ、上記後退位置から上記伸長位置まで移動するとき、
ｉ．上記後退位置で、また上記伸長位置で、又は上記後退位置と上記伸長位置との間で、１次ドライバーは、上記２次ドライバーに結合して、初期送出しストロークのために２次ドライバーとともに移動し、
ｉｉ．上記後退位置と上記伸長位置との間で、上記初期送出しストローク後に、１次ドライバーは、上記２次ドライバーから切離されて、付勢力の影響下で、後退位置の方向に移動し、
ｉｉｉ．切離し後に、１次ドライバーは、上記２次ドライバーに結合して、最終送出しストロークのために２次ドライバーとともに移動し、
１次ドライバーは、上記２次ドライバーが上記後退位置と上記伸長位置との間の或る地点にあるときに１次ドライバーが上記２次ドライバーから一時的に切離されているときを除いて、上記後退位置と上記伸長位置との間で伸長位置まで移動するときに、上記２次ドライバーに解放可能に結合されることによって、上記本体に対して上記２次ドライバーによって駆動することができ、また、付勢力下で、２次ドライバーが２次ドライバーの伸長位置に向かって移動するときに１次ドライバーと２次ドライバーとの間に第２の結合が確立されるまで、伸長位置から離れるように移動される、装置であると述べることができる。
【００６０】
別の態様において、本発明は、組織穿孔パンチを駆動するように構成可能な装置であって、本体を備え、本体は、
ａ）組織穿孔パンチを提供又は保持する１次ドライバーであって、後退位置から伸長位置まで本体に対して移動して、パンチの完全駆動ストロークを実施することができ、その完全駆動ストローク中に、組織サンプルが採取されるアイテムを貫通して第１の方向にパンチが駆動される、１次ドライバーと、
ｂ）作動可能な２次ドライバーと、
を保持し、
２次ドライバー及び１次ドライバーは、互いに対して移動し、本体に対する第１の位置において、ともに結合させられ、ともに移動可能になり、本体に対して第２の位置にあるときに、付勢力の影響下で１次ドライバーをその伸長位置から離れるように後退させるように切離すことができ、
上記１次ドライバーは、
ｃ）組織穿孔パンチを提供又は保持する３次ドライバーと、
ｄ）４次ドライバーと、
を更に備え、
３次ドライバー及び４次ドライバーは、互いに対して移動し、２次ドライバーに対する第１の位置において、ともに結合させられ、ともに移動可能になり、２次ドライバーに対して第２の位置にあるときに、付勢力の影響下で３次ドライバーを第１の方向と逆の方向に後退させるように切離すことができる、装置に存すると幅広く述べることができる。
【００６１】
好ましくは、１次ドライバー及び２次ドライバーは、一方を他方の内部で伸縮させることによって互いに対して移動することができる。
【００６２】
好ましくは、３次ドライバー及び４次ドライバーは、本体及び／又は互いに対して摺動することができる。
【００６３】
好ましくは、３次ドライバー及び４次ドライバーは、一方を他方の内部で伸縮させることによって互いに対して移動することができる。
【００６４】
好ましくは、３次ドライバーと４次ドライバーとの間の結合は、１次ドライバーと２次ドライバーとの間の結合に関して本明細書で述べたものである。
【００６５】
本明細書に記載のサンプラー／装置は、アイテムからサンプルを摘出して保持するために上記装置のドライバーによって駆動され、アイテムを越えて／アイテムを貫通して駆動することができる、サンプル収集器であって、
カッターを提示し、ドライバー係合可能領域を提示するパンチであって、それにより、ドライバーが、上記アイテムから上記サンプルを摘出するように上記パンチを駆動することを可能にする、パンチと、
上記パンチによって摺動可能に支持されて、後退位置と前進位置との間で上記パンチに対して移動できる、プランジャーと、
を備え、後退位置から前進位置への移動は、使用中に、カッターに保持されたサンプルを、カッターから変位させ、プランジャーは、上記ドライバーに対する第１の位置から上記ドライバーに対する第２の位置まで移動するときに上記ドライバーを歯止めするように適合及び構成され、それにより、上記第１の位置にあるとき、上記ドライバーは、プランジャーを該プランジャーの後退位置から該プランジャーの前進位置まで移動させず、上記第２の位置において、上記プランジャーは、上記ドライバーに結合して、ドライバーが、プランジャーを該プランジャーの前進位置まで移動させることを可能にする、サンプル収集器とともに使用することができる。
【００６６】
本明細書に記載のサンプラー／装置は、アイテムから生物学的サンプルを収集するサンプリングストリングであって、
ａ）サンプル収集器であって、
カッターを一端に提示するパンチであって、それにより、該パンチがアイテムを貫通して又はアイテムを越えて通過するとき、アイテムからサンプルを切除し保持する、パンチと、
上記パンチによって摺動可能に支持されて、上記パンチに対して後退位置と前進位置との間で移動できる、プランジャーと、
を備える、サンプル収集器と、
ｂ）ツールドライバーであって、該ツールドライバーは、第１の状態において、使用中に、上記パンチに係合して、上記パンチを、上記アイテムを越えて又は上記アイテムを貫通して駆動することができる、ツールドライバーと、
を備え、
後退位置から前進位置への移動は、使用中に、カッターに保持されたサンプルが、カッターから変位され、また、プランジャー及びドライバーを歯止めするパンチからのドライバーの伸縮自在変位によって、駆動動作状態になるように作動されるようにする、サンプリングストリングとともに使用することができる。
【００６７】
本明細書に記載のサンプラー／装置は、本明細書に記載の格納コンテナーが位置する場所における格納コンテナー保持領域と、本明細書に記載のサンプル収集器が位置する場所におけるサンプル収集器保持領域とを含む本体を備える、カートリッジであって、好ましくは、上記プランジャーが、該プランジャーの後退位置にあり、上記サンプル収集器ドライバーによってプランジャーの前進位置に移動させることができない上記状態において、ツールドライバーが上記サンプル収集器に係合し、本体は、サンプル採取のために互いに整列し、かつ、サンプリングされるアイテムの一部が位置することを可能にするための十分なギャップを持って離間して、サンプル収集器及び格納コンテナーを保持する、カートリッジとともに使用することができる。
【００６８】
別の態様において、本発明は、駆動部材を駆動するように構成可能な装置であって、装置は、
ａ）駆動部材を提供又は保持し、動作位置まで第１の方向に駆動部材を駆動することができる１次ドライバーと、
ｂ）１次ドライバーが２次ドライバーによって上記第１の方向に直接駆動されることを可能にするために、カプラーによって１次ドライバーに結合され得る２次ドライバーと、
ｃ）付勢部材であって、
・第１の方向への結合した１次ドライバー及び２次ドライバーの移動、及び、
・切離されているときの、１次ドライバー及び２次ドライバーの相対的移動、
の一方又は両方によって負荷を与えることができる、付勢部材と、
ｄ）付勢部材の力の下で、１次ドライバーが動作位置から後退させられるように、１次ドライバーがその動作位置に達するときに結合を解放するトリップと、
を備える、装置に存すると幅広く述べることができる。
【００６９】
以下は、発明の概要の先行する段落の種々の態様、及び、後続の段落で述べられる任意の更なる態様に当てはまる。
【００７０】
幾つかの実施形態において、装置／ツールはパンチを更に備える。
【００７１】
幾つかの実施形態において、駆動部材は、１次ドライバーから取外し可能である。
【００７２】
幾つかの実施形態において、上記駆動部材は、その組織穿孔動作位置に達すると組織サンプルを得るように構成されるパンチである。
【００７３】
幾つかの実施形態において、パンチは、１次ドライバーとともに、組織穿孔動作位置から後退する。
【００７４】
幾つかの実施形態において、１次ドライバーによる組織穿孔位置への移動及び組織穿孔位置からの後退は、２次ドライバーの同じ移動経路に沿う。
【００７５】
幾つかの実施形態において、上記パンチは、組織サンプルを収集するためのコンテナーの一部である又はコンテナーに連結可能である。
【００７６】
幾つかの実施形態において、装置は、コンテナーを更に備え又は保持し、パンチは、その組織穿孔動作位置に達すると、１次ドライバーが組織穿孔動作位置から後退している間、コンテナーに連結し留まるようにされる。
【００７７】
幾つかの実施形態において、上記パンチは、その組織穿孔動作位置に達すると又は達した後、コンテナーをシールする。
【００７８】
幾つかの実施形態において、パンチは、直線経路に沿って駆動される及び／又は運ばれる。
【００７９】
幾つかの実施形態において、パンチは、円弧状経路に沿って駆動される及び／又は運ばれる。
【００８０】
幾つかの実施形態において、１次ドライバーは、直線経路に沿って駆動される及び／又は運ばれる。
【００８１】
幾つかの実施形態において、１次ドライバーは、円弧状経路に沿って駆動される及び／又は運ばれる。
【００８２】
幾つかの実施形態において、２次ドライバーは、直線経路に沿って駆動される及び／又は運ばれる。
【００８３】
幾つかの実施形態において、２次ドライバーは、円弧状経路に沿って駆動される及び／又は運ばれる。
【００８４】
幾つかの実施形態において、１次ドライバー及び２次ドライバーの結合は、機械的係合による。
【００８５】
幾つかの実施形態において、結合は、例えば、デテント、ピン、キャッチ、又は締結具である。
【００８６】
幾つかの実施形態において、１次ドライバーに対する２次ドライバーの移動は、１次ドライバー及び２次ドライバーの結合を可能にする又はもたらす。
【００８７】
幾つかの実施形態において、１次ドライバーに対する２次ドライバーの移動は、例えば、両方のドライバーを通して延在するピン留め接続によって、ドライバーが結合され得る位置にドライバーを整列させる又は位置付ける。
【００８８】
幾つかの実施形態において、第１の方向と逆の方向への１次ドライバーに対する２次ドライバーの移動は、１次ドライバー及び２次ドライバーの結合を可能にする又はもたらす。
【００８９】
幾つかの実施形態において、１次ドライバーに対する２次ドライバーの移動は、１次ドライバー及び２次ドライバーを係合させる結合部材の変位をもたらす。
【００９０】
幾つかの実施形態において、第１の方向への結合された１次ドライバー及び２次ドライバーの更なる移動は、結合を解放させる。
【００９１】
幾つかの実施形態において、第１の方向への結合された１次ドライバー及び２次ドライバーの更なる移動は、トリップに直面し、トリップとの係合は、結合を解放するように結合部材を変位させる。
【００９２】
幾つかの実施形態において、付勢部材は、１次ドライバーと２次ドライバーとの中間に保持される。
【００９３】
幾つかの実施形態において、１次ドライバーに対する２次ドライバーの移動は、
ａ）１次ドライバー及び２次ドライバーの結合を可能にする又はもたらす、及び、
ｂ）付勢部材の負荷をもたらす、
の両方である。
【００９４】
幾つかの実施形態において、第１の方向と逆の方向への１次ドライバーに対する２次ドライバーの移動は、
ａ）１次ドライバー及び２次ドライバーの結合を可能にする又はもたらす、及び、
ｂ）付勢部材の負荷をもたらす、
の両方である。
【００９５】
幾つかの実施形態において、付勢部材はばねである。
【００９６】
幾つかの実施形態において、付勢部材は、圧縮可能ばね等の圧縮可能部材である。
【００９７】
幾つかの実施形態において、１次ドライバー及び２次ドライバーは、互いに対して摺動可能である。
【００９８】
幾つかの実施形態において、１次ドライバー及び２次ドライバーは、一方が他方の中にある状態で摺動可能である。
【００９９】
幾つかの実施形態において、１次ドライバーはプッシュロッドであり、２次ドライバーはプッシュロッドドライバーである。
【０１００】
幾つかの実施形態において、装置は、手持ち式デバイスである又はその一部である。
【０１０１】
幾つかの実施形態において、装置は、２次ドライバーを駆動するためにトリガー又はレバーを更に備える。
【０１０２】
幾つかの実施形態において、２次ドライバーは、ラックアンドピニオン上で駆動される。
【０１０３】
別の態様において、本発明は、動物の組織がパンチによって貫入されるようにするデバイスであって、上記デバイスは、
本体と、
パンチ端を含む、又は、上記本体に対して、後退位置から、パンチが動物組織に少なくとも部分的に貫入する伸長位置まで別個のパンチを保持し得る、パンチロッドと、
上記本体に取付けられ、上記本体に取付けられたアクチュエーターによって、少なくとも第１の位置から第２の位置まで上記本体に対して変位可能なプッシュロッドドライバーであって、上記プッシュロッドは、プッシュロッドドライバーに摺動可能に取付けられて、準備位置と後退位置との間でプッシュロッドドライバーに対して移動する、プッシュロッドドライバーと、
プッシュロッドとプッシュロッドドライバーとの間で選択的に動作可能なドッグと、
を備え、ドッグは、
・上記第２の位置に向かう上記プッシュロッドドライバーの移動が、その伸長位置に向かう上記プッシュロッドの移動を与えることができるように上記プッシュロッド及び上記プッシュロッドドライバーを接続し、
・プッシュロッドがその伸長位置に達すると、トリップして、プッシュロッドをその準備位置から解放し、プッシュロッドが、付勢力の影響下で、その後退位置まで又はその後退位置に向かって摺動するようにさせる、デバイスに存すると幅広く述べることができる。
【０１０４】
幾つかの実施形態において、付勢力は、プッシュロッドと、（ａ）本体及び（ｂ）プッシュロッドドライバーの一方との間で働くばねによって提供される。
【０１０５】
幾つかの実施形態において、付勢力は、プッシュロッドとプッシュロッドドライバーとの間で働くばねによって提供される。
【０１０６】
幾つかの実施形態において、ばねは、プッシュロッドドライバーが、その第２の位置からその第１の位置に向かって移動するときに負荷を与えられる。
【０１０７】
幾つかの実施形態において、ばねは、ドッグがトリップすると、負荷を解除される。
【０１０８】
幾つかの実施形態において、ばねは螺旋ばねである。
【０１０９】
幾つかの実施形態において、ばねは、圧縮されることによって負荷を与えられる。
【０１１０】
幾つかの実施形態において、ばねは、その拡張によって負荷を解除される。
【０１１１】
幾つかの実施形態において、ドッグは、プッシュロッドがその準備位置にあるときに、プッシュロッドドライバーがプッシュロッドを移動させることができるように上記プッシュロッド及び上記プッシュロッドドライバーを接続する。
【０１１２】
幾つかの実施形態において、ドッグは、トリップすると、プッシュロッドが上記プッシュロッドドライバーに対して摺動することを可能にする。
【０１１３】
幾つかの実施形態において、プッシュロッドは、プッシュロッドドライバーがその第１の位置からその第２の位置に向かって移動するときにその準備位置に移動する。
【０１１４】
幾つかの実施形態において、プッシュロッドは、プッシュロッドドライバーがその第１の位置まで移動しているときに上記プッシュロッドドライバーと一緒の移動を、ハウジングによって抑止される。
【０１１５】
幾つかの実施形態において、プッシュロッドがハウジングによって抑止されている場合、プッシュロッドとプッシュロッドドライバーとの間で働くばねは、プッシュロッドドライバーがその第１の位置まで移動しているときに圧縮される。
【０１１６】
幾つかの実施形態において、アクチュエーターは、プッシュロッドドライバーを、その第２の位置からその第１の位置まで同様に移動させることができる。
【０１１７】
代替的に、幾つかの実施形態において、プッシュロッドドライバーは、付勢力の影響下で（例えば、幾つかの実施形態において、ばねによって）、第２の位置から第１の位置まで移動させられる。
【０１１８】
幾つかの実施形態において、プッシュロッドは、上記本体に対して直線的に変位可能である。
【０１１９】
幾つかの実施形態において、プッシュロッドドライバーは、上記本体に対して直線的に変位可能である。
【０１２０】
幾つかの実施形態において、プッシュロッドは、上記本体に対して直線的に変位可能である。
【０１２１】
幾つかの実施形態において、プッシュロッドは、上記プッシュロッドドライバーに対して直線的に変位可能である。
【０１２２】
幾つかの実施形態において、プッシュロッドは、上記本体に対して円弧状に変位可能である。
【０１２３】
幾つかの実施形態において、プッシュロッドドライバーは、上記本体に対して円弧状に変位可能である。
【０１２４】
幾つかの実施形態において、プッシュロッドは、上記本体に対して円弧状に変位可能である。
【０１２５】
幾つかの実施形態において、プッシュロッドは、上記プッシュロッドドライバーに対して円弧状に変位可能である。
【０１２６】
幾つかの実施形態において、貫入デバイスは組織サンプル収集器である。
【０１２７】
幾つかの実施形態において、貫入デバイスは、プッシュロッドの端の一部として設けられる。
【０１２８】
幾つかの実施形態において、貫入デバイスは、プッシュロッドによって保持される耳タグのシャフトである。
【０１２９】
幾つかの実施形態において、パンチは組織サンプリングパンチである。
【０１３０】
幾つかの実施形態において、パンチは、プッシュロッドの端に解放可能に取付けることができる。
【０１３１】
幾つかの実施形態において、デバイスは手操作可能である。
【０１３２】
幾つかの実施形態において、デバイスは手持ち式デバイスである。
【０１３３】
幾つかの実施形態において、本体は、ユーザーの手で保持することができる。
【０１３４】
別の態様において、本発明は、ドライバー又はパンチ（以降で「パンチ」）を、（１）アクチュエーターの間接的な作用下で前進限界まで、また、（２）最初に圧縮付勢力の作用下で、そして次に、そのアクチュエーター又は別のアクチュエーターの間接的な作用下で、パンチをその前進限界から引出すように、往復運動させることが可能な装置であって、装置は、
パンチと、
往復運動の軸上での相対的移動を可能にするためにパンチを部分的に収納する収納器と、
往復運動の軸上でその往復運動の両端の限界の間で、収納器を、誘導しかつ制限する、又は、誘導し、制限し、少なくとも部分的に収容する支持体と、
パンチを、収納器に対するその前進限界から付勢するように働く圧縮可能部材と、
パンチ及び収納器をパンチ及び収納器のそれぞれの前進限界まで同時に前進するためにパンチと収納器との間で動作するデテントと、
支持体に対する収納器の往復運動を制御する単数又は複数のアクチュエーターと、
を備える又は含む、装置に存すると幅広く述べることができる。
【０１３５】
幾つかの実施形態において、往復運動は直線的である。
【０１３６】
幾つかの実施形態において、パンチは、前進方向への収納器からの解放に抗して捕捉される。
【０１３７】
幾つかの実施形態において、支持体は、収納器の前進を制限する停止部を提供する。
【０１３８】
幾つかの実施形態において、支持体は、デテントを解放するカムを提供する。
【０１３９】
幾つかの実施形態において、支持体は、デテントに係合するカムを提供する。
【０１４０】
幾つかの実施形態において、デテントはボールデテントである。
【０１４１】
幾つかの実施形態において、上記アクチュエーター又は少なくとも１つのアクチュエーターは、収納器のラックに直接的に又は間接的に作用する。
【０１４２】
好ましくは、パンチは、有機体を貫通して駆動することができる。
【０１４３】
好ましくは、本明細書に記載の発明（複数の場合もある）の１つ（以上）は、生産用動物及び伴侶動物のために使用することができる。
【０１４４】
好ましくは、本明細書に記載の発明（複数の場合もある）の１つ（以上）は、生産用動物のためにのみ使用することができる。
【０１４５】
好ましくは、本明細書に記載の発明（複数の場合もある）の１つ（以上）は、伴侶動物のためにのみ使用することができる。
【０１４６】
好ましくは、生産用動物は、ウシ亜科の動物、豚、鹿、及び羊を含むが、それに限定されない。
【０１４７】
好ましくは、伴侶動物は、馬、猫、及び犬を含むが、それに限定されない。
【０１４８】
本発明の他の態様は、単に例として及び添付図面を参照して与えられる以下の説明から明らかになることができる。
【０１４９】
本明細書で使用するとき、用語「及び／又は（and/or）」は、「及び（and）」、「又は（or）」、又は両方を意味する。
【０１５０】
本明細書で使用するとき、名詞に続く「（複数の場合もある（s））」は、名詞の複数形及び／又は単数形を意味する。
【０１５１】
本明細書で使用される用語「備える（comprising）」は、「少なくとも部分的に〜からなる（consisting at least in part of）」を意味する。その用語を含む本明細書の陳述を解釈するとき、各陳述においてこの用語が後置される特徴は全て存在する必要があるが、他の特徴も存在する可能性がある。「備える（comprise）」及び「備えた（comprised）」等の関連する用語は、同じように解釈される。
【０１５２】
上記及び以下で述べる全ての出願、特許、及び公報の開示は、存在する場合、その全てが、引用することにより本明細書の一部をなす。
【０１５３】
また、本発明は、出願の明細書において参照される又は指示される個々の又は集合的な部分、要素、及び特徴、並びに、上記部分、要素、又は特徴のうちの任意の２つ以上のものの任意の組合せ又は全ての組合せからなると、幅広く述べることができ、本発明が関連する技術分野における、知られている等価物を有する特定の完全体が本明細書に述べられ、こうした知られている等価物は、個々に述べられるかのごとくに本明細書の一部をなすものと見なされる。
【０１５４】
本発明は、単に例として、また、図面を参照してここで述べられる。
【図面の簡単な説明】
【０１５５】
【図１】パンチ及び組織サンプル収集コンテナーを格納するための回転式マガジンを有する組織サンプル収集器である、迅速解放駆動ツールの一実施形態の側断面図である。
【図２】ツール内で使用することができる機構の一部の側面図である。
【図３】平面Ｃ−Ｃを通る図２の機構の断面図である。
【図４】図２の機構を示す図であり、２次ドライバーは、付勢部材を圧縮し、１次ドライバーと結合するために第２の方向に移動している。
【図５】平面Ｃ−Ｃを通る図４の機構の断面図である。
【図６】図４の機構を示す図であり、アクチュエーターは、結合した１次ドライバー及び２次ドライバーを、それらの動作位置に向かって第１の方向に駆動するように係合している。
【図７】平面Ｃ−Ｃを通る図６の機構の断面図である。
【図８】図６の機構を示す図であり、パンチはその動作位置まで駆動されており、１次ドライバーと２次ドライバーとの間の結合を解放するためのトリップに直面している。
【図９】平面Ｃ−Ｃを通る図８の機構の断面図である。
【図１０】図８の機構を示す図であり、１次ドライバーは、付勢部材の作用下でその動作位置から後退するように駆動されている。
【図１１】平面Ｃ−Ｃを通る図１０の機構の断面図である。
【図１２】便宜のために組織サンプラーとして示される迅速解放駆動ツールの更なる実施形態の断面図であり、１次ドライバー及び２次ドライバーは後退位置に移動している。
【図１３】図１２のサンプラーを示す図であり、２次ドライバーはその伸長位置に向かって駆動され、パンチは、１次ドライバーによって穿孔動作位置を通して駆動されている。
【図１４】図１２のサンプラーを示す図であり、１次ドライバー及び２次ドライバーは、１次ドライバーが後退することを可能にするために一時的に切離されている。
【図１５】図１２のサンプラーを示す図であり、１次ドライバー及び２次ドライバーは、両者の間に２次結合が確立されたことに応じて、駆動ストロークの終りまでともに駆動されている。
【図１６】図１２のサンプラーにおいて使用される代替の機構の断面図であり、１次ドライバー（３次ドライバー及び４次ドライバーを含む）がその後退位置にある状態であるが、機構のばねが負荷を与えられる前である。
【図１７】図１６の機構を示す図であり、２次ドライバーはその第１の位置まで後退し、したがって、機構のばねに負荷を与え、ドライバーを結合させ、３次ドライバーをその伸長位置まで強制的に押す。
【図１８】図１６の機構を示す図であり、結合した１次ドライバー及び２次ドライバーは、駆動ストロークを開始しており、組織サンプルを収集するために、例えば動物の耳を貫通してパンチを駆動している。
【図１９】図１６の機構を示す図であり、３次ドライバーが後退している。
【図２０】図１６の機構を示す図であり、駆動ストロークの限界まで１次ドライバー及び２次ドライバーが継続して駆動されている。
【図２１】サンプル収集器に軸方向に整列する格納コンテナー並びにツールドライバー及び関連するプッシュロッドの分解図である。
【図２２】パンチ及びプランジャーからなるサンプル収集器並びにツールドライバー及びプッシュロッドから構成される構成要素のストリングの分解図である。
【図２３ａ】図２２の構成要素を通る断面図であり、プランジャーのアンブレラは拡張した駆動可能な状態にあるプランジャーを示す。
【図２３ｂ】収縮状態にあるプランジャーのアンブレラを示す図である。
【図２４】格納コンテナー及びサンプル収集器／サンプル収集器ドライバー／プッシュロッドのストリングの斜視図であり、例えば、動物の耳の一部は、サンプリングする前に格納コンテナーとストリングとの中間に設置される。
【図２５】図２４の構成要素の断面図であり、サンプル収集器のカッターは動物の耳を穿孔している。
【図２６】図２４の構成要素の断面図であり、動物の耳から収集されたサンプルは、格納コンテナー内に駆動される。
【図２７】図２４の構成要素を示す図であり、パンチは、格納コンテナーのキャップの脆いシールを破断しようとしている。
【図２８】図２４の構成要素を示す図であり、サンプラーを格納コンテナーの格納領域に入れるために、脆いシールが破断している。
【図２９】図２４の構成要素のプロセスのステップを示す図であり、ツールドライバーは、その送出前の位置に向かって元通り後退して、プランジャーに対する伸縮自在移動をもたらし、２つの構成要素が第２の状態に対して歯止めされることを可能にするため、プランジャーは、サンプル収集器によって前進位置まで移動するように作動することができる。
【図３０】ツールドライバー及びプランジャーの断面図であり、プランジャー及びそのアンブレラが収縮状態で示されている。
【図３１ａ】図３０の図であるが、プランジャーのアンブレラは非拡張状態で示されている。
【図３１ｂ−ｊ】伸縮自在歯止め関係の変形を示す図であり、伸縮自在歯止め関係は、ツールドライバーとプランジャーとの間に確立されて、プランジャー及びツールドライバーが、後退位置と前進位置との間で移動することを可能にすることができ、歯止め関係は、ツールドライバー及びパンチの種々の特徴によってもたらされる。
【図３２】伸縮的に拡張した関係のツールドライバー及びプランジャーを示す図であり、プランジャーは、依然としてパンチに対して後退状態にあるが、ツールドライバーによって前進位置に駆動することができる位置にある。
【図３３】ツールドライバー及びプランジャーを示す図であり、ツールドライバーの内壁とプランジャーの駆動端との間に接触が存在することができることを示している。
【図３４】ツールドライバー及びプランジャーを示す図であり、プランジャーのアンブレラは、ツールドライバーの異なる表面によって駆動することができる拡張位置にある。
【図３５】ツールドライバーが、一時的に後退した後に、格納収容領域に向かって元通り前進して、サンプルを格納収容領域内に落とすようにパンチに対してプランジャーを駆動することを示す図であり、ツールドライバーは、格納コンテナーのキャップの通路に係合して、格納コンテナーをシールする。
【図３６】プッシュロッドがツールドライバーから後退し、サンプリング及び格納プロセスが終了することを示す図である。
【図３７】サンプル収集器、ツールドライバー、及びプッシュロッドを含む構成要素のストリングの拡大図であり、これらの構成要素は、例えば動物の耳を穿孔するための状態にある。
【図３８】図３７の構成要素を示す図であるが、ツールドライバーは、サンプル収集器に対して、そして、サンプル収集器に対してその拡張位置に伸縮的に移り、図３９に見ることができるようにパンチに対してプランジャーを駆動するために再び前進するために、プランジャーを歯止めする。
【図３９】プランジャーが、サンプル収集器ドライバーが再び前進することによってパンチに対してその前進位置に移動したことを示す図である。
【図４０】格納コンテナー並びにサンプル収集器及びツールドライバーを含む構成要素のストリングの、カートリッジに関連する組立体を示す図であり、カートリッジは、サンプル収集器関連ストリング及び格納コンテナーを、動物の耳をそこに設置できるギャップを両者の間に有する予備整列状態で、エンドユーザーに配送することができる。
【図４１】図４０の断面斜視図である。
【図４２】図４０の構成要素の部分拡大図である。
【図４３】図４０の構成要素の断面図である。
【図４４】図４０の構成要素の断面図であるが、サンプル収集器を含む構成要素のストリングは、動物の耳からサンプルを採取する直前に格納コンテナーに向かって前進する。
【図４５】格納コンテナーがサンプルを収納し、サンプル収集器が格納コンテナーをシールしたことを示す図である。
【発明を実施するための形態】
【０１５６】
ここで図１に述べる一実施形態において、迅速解放ツール１００が提供される。迅速解放ツール１００は、好ましくは、組織サンプルを収集するために動物組織等のアイテムを穿孔するためにパンチを駆動するように構成される。少なくとも幾つかの実施形態において、迅速解放ツール１００が、現場で生きている動物又は植物上で使用することができる手持ち式デバイスとすることができることが想定される。本発明は、家畜又は伴侶動物等の動物に対するその使用に関して述べられているが、本発明が、同じように植物に対して使用される可能性があることを当業者は認識するであろう。
【０１５７】
図１は、サンプル収集コンテナー２０７及びパンチ取付け具２００を格納するための回転式マガジン１０２を有する迅速解放ツール１００の一実施形態を示す。図２〜図１１は、使用される機構のより詳細を示す。
【０１５８】
迅速解放ツール１００は、オペレーターの手で保持することができる本体１０１を有する。好ましい実施形態において、迅速解放ツール１００は、組織サンプラーとして動作し、動物の組織に穿孔するためにパンチ２００を駆動するように構成される。アクチュエーター５００は、オペレーターによって使用されて、パンチ２００の駆動を作動させることができる。
【０１５９】
幾つかの好ましい形態において、ツール１００は、本体１０１によって支持されかつ本体１０１に対して移動することができる、１次ドライバー３００及び２次ドライバー４００を備える。１次ドライバー３００及び２次ドライバー４００は、同様に、互いに対して移動できるが、選択的にともに結合して、ツールが組織サンプラーとして動作するときに、パンチ２００等の駆動部材を駆動することができる。
【０１６０】
パンチ２００は、組織内に又は組織を貫通して或る程度貫入することによって動物の組織に穿孔するために設けられる。パンチ２００は、第１の方向（矢印９００で示す）に組織穿孔動作位置まで駆動され、そこで、穿孔される組織に係合する。１次ドライバー３００及び２次ドライバー４００の動作位置は、それぞれ、パンチ２００がその動作位置にあるとき、（本体１０１に対して）それらの対応する位置にあると言うことができる。
【０１６１】
ツール１００は、動物の耳２０３がパンチ２００と、コンテナー２０７等の収納部材との間に存在するように位置決めすることができる。パンチ２００は、図１３に示す組織穿孔動作位置まで駆動することができ、そこで、パンチ２００は、動物の耳２０３に貫入しており、収納部材２０７によって収納されている。
【０１６２】
この時点で、動物が組織穿孔感覚に反応するため、耳２０３から取除かれるように１次ドライバー３００を素早く後退させることが望ましい。１次ドライバー３００のこの「迅速解放（quick release）」を達成するために、１次ドライバー３００と２次ドライバー４００との間の結合は、組織穿孔動作位置に達すると（場合によってはその直前に又はその直後に）解放されて、１次ドライバー３００が、その動作位置から後退することを可能にすることができる。幾つかの実施形態において、１次ドライバー３００の素早い後退を押し進める付勢部材８０５が存在する。
【０１６３】
幾つかの実施形態において、１次ドライバー３００及び２次ドライバー４００は、本体１０１内に収容され、本体１０１は、ドライバーの移動を誘導及び制限するのに役立つ。ドライバーは、同様に、幾つかの実施形態において、互いに対して移動可能である。例えば、ドライバーは、互いに対してまた本体１０１に対して摺動することができる。
【０１６４】
１次ドライバー３００及び２次ドライバー４００は、互いに対して移動して、ドライバーが、第１のモードの構成でともに結合することを可能にする又は結合させることができる。この第１のモードにおいて、アクチュエーター５００を使用して２次ドライバー４００を駆動することにより、１次ドライバー３００及びパンチ２００が動作位置まで駆動される。
【０１６５】
パンチ２００の動作位置に達すると結合８００を自動的に解放するために、トリップ７００も存在することができる。結合されたドライバーが第１の方向９００に移動するときにトリップ７００に直面することができる。トリップ７００は、１次ドライバー３００及び２次ドライバー４００に第２のモードの構成をとらせ、そのモードにおいて、１次ドライバー３００は、２次ドライバー４００と無関係に移動し、したがって、その動作位置から後退することができる。
【０１６６】
結合を実施するための及び／又はドライバーがそれらの第１のモード構成において動作位置に向かって移動するときのドライバーの相対的移動が、付勢部材８０５の負荷をもたらすことが同様に好ましい。これは、負荷を与えられた付勢部材８０５が、トリップ７００が結合８００を解放すると、１次ドライバー３００をその動作位置から押し戻すことを可能にする。
【０１６７】
幾つかの好ましい実施形態において、アクチュエーター５００の１回の運動により、１次ドライバー３００及び２次ドライバー４００がそれらの第１のモードで構成されている状態で、駆動部材２００（好ましくは、パンチ２００）の駆動ストロークを実施することができ、また、１次ドライバー３００が付勢部材８０５の力の下で後退することができるように結合を解放するための後続の運動又は動作はオペレーターの側で全く必要とされない。
【０１６８】
例示的な機構の構成要素は、図２〜図１１に示され、１次ドライバー３００は、取付け具として駆動部材２００を有するプッシュロッド３０１であり、２次ドライバー４００は、ラックアンドピニオン５０２上で作動されるプッシュロッドドライバー４０１である。プッシュロッド３０１は、プッシュロッドドライバー４０１によって収納され、かつ、プッシュロッドドライバー４０１内で軸方向に摺動する。付勢部材８０５は、この例では、プッシュロッド３０１とプッシュロッドドライバー４０１との間の中間に取付けられたばね８０６である。
【０１６９】
プッシュロッドは、図２〜図１１に見ることができる（本体１０１に対する）後退位置と、図８及び図９に見ることができる（本体１０１に対する）伸長位置との間で駆動される。同様に、プッシュロッドドライバー４０１は、図４及び図５に示す（本体１０１に対する）第１の位置と、図８〜図１１に示す（本体１０１に対する）第２の位置との間で往復運動する。
【０１７０】
駆動部材２００の駆動ストローク及びドライバーの後続の素早い後退を実施するための１次ドライバー３００及び２次ドライバー４００の相対的移動は、図１〜図１１においてシーケンスで示されている。以下の説明において、図の矢印９００で示す駆動ストロークの方向は、第１の方向９００と呼ばれる。図の矢印９０１で示す逆方向は、第２の方向９０１と呼ばれる。
【０１７１】
シーケンスは、プッシュロッド３０１が（本体１０１に対して）その後退位置にあり、プッシュロッドドライバー４０１が図８及び図９に示す（本体１０１に対して）その第２の位置にある状態で始まる。図４及び図５に示すように、プッシュロッドドライバー４０１は、その後、その第１の位置まで第２の方向９０１に移動する。プッシュロッドドライバー４０１が第２の方向９０１に移動する際、第２の方向９０１へのプッシュロッド３０１の対応する移動は、停止部８０４によって制限される。そのため、プッシュロッド３０１及びプッシュロッドドライバー４０１の間でばね８０６を圧縮する相対的移動が起こる。
【０１７２】
プッシュロッドドライバー４０１がその第１の位置に達すると、プッシュロッド及びプッシュロッドドライバーは、図５に示すように、デテント８０１によってともに結合される。デテント係合は、プッシュロッド端３０１と停止部８０４との中間のボール８０２が、プッシュロッド軸の半径方向に外方に変位され、プッシュロッド端３０１及び停止部８０４の角度付き表面３０２上に誘導されることによる。ボール８０２は、プッシュロッドドライバー４０１の対応する凹所８０３内に変位される。そのため、プッシュロッド３０１は、プッシュロッドドライバー４０１に結合し、そのとき、プッシュロッド３０１は（ドライバーに対して）準備位置にあり、結合８００は、同様に、ばね８０６をその圧縮状態で保持する。
【０１７３】
図６〜図８に示すように、アクチュエーター５００は、結合されたプッシュロッド３０１及びプッシュロッドドライバー４０１を第１の方向９００に駆動するために係合し、圧縮されたばね８０６をそれらとともに運ぶ。
【０１７４】
プッシュロッドドライバー４０１が（本体１０１に対して）その第２の位置まで前進する際、結合されたドライバーは、トリップ７００に直面し、トリップ７００は、この場合、カム表面７０１である。これは図９に見ることができる。カム表面７０１に対する第１の方向９００への結合されたドライバーの移動は、デテントボール８０２を、結合８００を解放するために半径方向に内方に誘導する又は変位させる。幾つかの実施形態において、その解放は、ちょうど、プッシュロッドドライバー４０１が（本体１０１に対して）その完全に伸長した位置に達するときに起こる。
【０１７５】
結合８００の解放によって、ばね８０６の戻り力は、プッシュロッド３０１を、第２の方向９０１に（プッシュロッドドライバーに対して）その後退位置まで押戻し、一方、プッシュロッドドライバー４０１は、（本体１０１に対して）その第２の位置に留まる。これは、図１０及び図１１に示されている。
【０１７６】
駆動ストローク及び迅速解放動作を繰返すことが所望される場合、図１〜図１１に示すシーケンスを繰返すことができ、そのシーケンスは、プッシュロッドドライバー４０１を第２の方向９０１に移動させることによって、ばね８０６に負荷を与え、プッシュロッド３０１及びプッシュロッドドライバー４０１を結合することで始まる。
【０１７７】
幾つかの実施形態において、アクチュエーター５００は、トリガー又はレバー５０１を含むが、アクチュエーター５００は、代替的に、ボタン、スイッチ、又は回転式ノブとしてもよい。電気モーターを、ドライバーを駆動するために使用してもよい。例えば、図１〜図１１は、トリガー又はレバー５０１を示し、トリガー又はレバー５０１は、旋回点５０４の周りに回転して、ギア５０３を介してラックアンドピニオン５０２上で２次ドライバー４００の移動を推し進める。図６を参照されたい。ギア５０３は、２次ドライバー４００をその第１の位置とその第２の位置との間で駆動するために必要とされる回転トリガー運動の程度を決定する。こうした配置構成は、２次ドライバー４００の往復運動をコンパクトに実施する。
【０１７８】
幾つかの実施形態において、その配置構成は、駆動部材２００の動作位置（本体１０１に対する１次ドライバー３００の完全に伸長した位置に対応する又はそれに近いものとすることができる）と、本体１０１に対する１次ドライバー３００の後退位置との間に所望の移動距離３０３を与えるように構成される。一例として、幾つかの実施形態において、移動距離３０３が１ｍｍ〜５００ｍｍであることが所望される場合がある。幾つかの実施形態において、移動距離３０３は２０ｍｍ〜１５０ｍｍであり、また、例えば、４５ｍｍ〜５５ｍｍであるものとすることができる。
【０１７９】
図面で述べる実施形態は、駆動部材２００を直線運動で駆動する１次ドライバー３００及び２次ドライバー４００を示す。配置構成が、例えば、円周又は円弧方向に駆動される湾曲した１次ドライバー３００及び２次ドライバー４００を使用することによって、駆動部材２００の回転運動のために適合される可能性があることを当業者は認識するであろう。
【０１８０】
記載の配置構成が単に例であること、及び、代替手段が、同様の機能を達成するために使用される可能性があることを当業者は理解するであろう。幾つかの特定の代替手段が以下で論じられる：
・例えば、図１〜図１１に示されているデテントシステム以外の多くのタイプの解放可能な結合８００が使用される可能性があることが認識されるであろう。２次ドライバー４００と１次ドライバー３００との間のドッグ係合は、好ましい形態である。
・更なる例として、図面において以前に示した配置構成の電池駆動式バージョンにおいて、プッシュロッドドライバー４０１は、電気モーターによってその第１の位置と第２の位置との間で往復運動するように駆動することができる。プッシュロッド及びプッシュロッドドライバーは、ソレノイドピンを挿入して、プッシュロッド及びプッシュロッドドライバーを結合することができるように、ピン係合孔が整列する相対的位置まで移動することができる。結合したプッシュロッド３０１及びプッシュロッドドライバー４０１がそれらの動作位置まで駆動された後に、電子トリップがソレノイドピンを取出し、結合８００を解放し、付勢部材８０５（この例でもばねとすることができる）の力の下で、プッシュロッド３０１の後退を可能にすることができる。
・更なる例として、結合を可能にする又はもたらすための、１次ドライバー３００と２次ドライバー４００との間の相対的運動は、異なる方法で実施される可能性がある。図面に示す実施形態において、２次ドライバー４００は、第２の方向９０１に移動して、結合をもたらす。しかし、代替手段は、２次ドライバー４００が、結合する前に、（ばね８０６を圧縮しながら）第１の方向９００に或る距離だけ移動することができること、又は、１次ドライバー３００が、代わりに作動され、第１の方向９００に移動することができることである。
・更なる例として、付勢部材８０５は、シーケンスの異なる段階で負荷を与えられる可能性がある。図面に示す実施形態において、付勢部材８０５は、１次ドライバー３００及び２次ドライバー４００が結合する前に負荷を与えられる。しかし、代替手段は、トリップ７００に直面して結合８００を解放する前に、付勢部材８０５に十分な負荷が与えられている場合に、結合された１次ドライバー３００及び２次ドライバー４００が駆動ストローク時に第１の方向９００にともに移動するときに付勢部材８０５に負荷を与えることができるものである。
駆動ストロークを開始する前に付勢部材８０５に負荷を与える利点は、これにより、駆動ストローク中に負荷を与えられている付勢部材８０５の抵抗に抗する駆動エネルギーの損失が回避されることである。
・更なる例として、図１〜図１１は、１次ドライバー３００及び２次ドライバー４００の中間に保持される付勢部材８０５であって、それにより、ドライバーの相対的移動によって負荷を与えられ、駆動ストローク時にドライバーとともに運ばれる、付勢部材８０５を示す。付勢部材が、代替的に、本体１０１に係合し、１次ドライバー３００及び２次ドライバー４００の一方又は他方（又は両方）に作用して、本体１０１に対するドライバーの移動によって付勢部材に負荷を与えることができることが認識されるであろう。例えば、ばね８０６は、１次ドライバー３００及び本体１０１上の停止部又は肩部（停止部／肩部は図示せず）の中間に位置決めされて、１次ドライバー３００が駆動ストローク時にその伸長位置まで移動する際に圧縮することができる。
【０１８１】
幾つかの実施形態において、駆動部材２００は、組織内への貫入を容易にするために、穿孔先端又は針等の貫入要素２０５を有することができる。駆動部材は、１次ドライバーとともに後退することができるか、又は、組織を貫通して押され、１次ドライバーから解放することができる。
【０１８２】
一実施形態において、駆動部材は、組織を容易に切り開くことができる切除縁又は刃等の切除要素２０６を有することができるパンチ２００である。例えば、図７に示すパンチ２００は、円形切除縁２０６を有する。
【０１８３】
幾つかの実施形態において、パンチ２００は、例えば、１次ドライバー３００と一体であるツール１００の一部として設けることができる。他の実施形態において、パンチ２００は、ツール１００に対する取付け具として設けることができる。
【０１８４】
例えば、図１〜図１１に示す実施形態において、パンチ２００は、使い捨てスリーブ２０８を含む取付け具として設けられて、１次ドライバー３００に係合し、１次ドライバー３００と切除要素との間の接触を防止する。パンチング作業後に、スリーブ２０８は、取外され、廃棄されて、後続の組織サンプルの間の相互汚染のリスクを低減することができる。
【０１８５】
幾つかの実施形態において、駆動部材２００は、１次ドライバー３００の後退とともに、その動作位置から後退することがあるものとすることができる。例えば、駆動部材２００は、その動作位置まで駆動され、その後、１次ドライバー３００とともに後退し、血液、毛、又は唾液の組織、すなわちサンプルの栓を取出すことができる。
【０１８６】
しかし、他の実施形態において、駆動部材２００は、その動作位置に留まり、１次ドライバー３００が単独で後退するように１次ドライバー３００から分離することができる。
【０１８７】
例えば、幾つかの実施形態において、パンチ２００は、組織サンプルを収集するためのコンテナー等のコンテナー２０７に連結することができる。こうした実施形態の例は、図１〜図１２に示され、パンチ２００は、コンテナー２０７に連結され、コンテナー２０７は、好ましくは、駆動ストロークのライン上でツール１００の本体１０１によって支持される。パンチ２００は、第１の方向９００に駆動されると、サンプリングされる組織に貫入し、コンテナー２０７の開口端を通して収納することができる。パンチ２００は、組織サンプルを伴ってコンテナー２０７内に運ぶことができ、また、組織サンプルを内部に捕捉するためにコンテナー２０７の開口端を塞ぐ又はシールするのに役立つことができる。これらの実施形態において、パンチ２００は、シールされたコンテナーユニットの一部として留まることができ、一方、１次ドライバー３００は単独で後退する。シールされたコンテナーユニット全体は、その後、ツール１００から取外すことができ、新しいコンテナー２０７及びパンチ２００を、後続の組織サンプルを収集するために設置することができる。
【０１８８】
図１２は、ツール１００の本体１０１によって、回転式マガジン１０２に格納される、一連のパンチ２００及び一連のコンテナー２０７を保持するためのマガジン１０２を示す。マガジン１０２は、パンチ２００とコンテナー２０７の両方を、最初は、（本体１０１に対して）その後退位置にある１次ドライバー３００と軸方向整列状態にするために回転させる。１次ドライバー３００は、駆動ストローク時に前進すると、マガジン１０２を貫通して駆動され、パンチ２００を捕捉し、その後、組織を貫通し、コンテナー２０７に入るようにパンチ２００を駆動し続ける。動作位置（この場合、パンチ２００が組織を貫通して駆動されており、コンテナー２０７によって収納されている地点である）に達すると、１次ドライバー３００は、パンチ２００をコンテナー２０７内に残して後退する。マガジン１０２は、その後、再び回転させて、後続の組織サンプルを収集することができるように、新しいパンチ２００及びコンテナー２０７を１次ドライバー３００と整列状態にする。
【０１８９】
図１９〜図２７は、本発明の更なる実施形態の例を示し、装置は、駆動配置構成を含み、駆動配置構成は、パンチ２００又はパンチ２００を含む組立体等の駆動部材を組織穿孔動作位置まで運び、図１〜図１１に関して上記で述べたように後退するように動作する。しかし、これらの実施形態において、その配置構成は、１次ドライバー３００の組織穿孔動作位置が装置の本体１０１に対してその完全に伸長した位置に対応しないように構成される。
【０１９０】
これらの実施形態において、１次ドライバー３００は、
１．駆動ストローク中に第１の方向にその組織穿孔動作位置まで又はそれを超えて或る地点にパンチ２００を運び（例えば、パンチ２００は、組織サンプルが採取されるアイテムを貫通して駆動することができる）、
２．その後、第２の方向に或る距離だけ後退するが、その後、
３．駆動ストロークを終了するために、第１の方向に（本体１０１に対して）その完全に伸長した位置まで前進し続ける。
【０１９１】
こうした構成の利点は、１回の駆動ストローク中に、１次ドライバー３００が使用されて、ａ）組織穿孔及びその組織穿孔位置からの迅速解放のためにパンチ２００を駆動し、ｂ）図２１〜図４５に関して以降で述べるパンチ６０４等のパンチが使用される場合に有用である場合がある２次及び後続の駆動機能を実施することができることである。
【０１９２】
駆動ストローク時の１次ドライバー３００のこの３段階移動が、種々の２次駆動機能を実施するために使用される可能性があることが認識されるであろう。これの例として、以下の説明は、ａ）組織サンプルを得るためにパンチ２００を駆動し、ｂ１）組織サンプルコンテナーを閉鎖するために端キャップを挿入し、及び／又は、ｂ２）パンチに連結されたプランジャーを、サンプルをパンチから取去らせるように作動させるために、駆動ストローク時の１次ドライバー３００の３段階移動がどのように使用され得るかを説明する。
【０１９３】
図１９〜図２２は、こうした３段階移動を達成することができる機構を含む手持ち式ツール１００の第１の実施形態を示す。図１６〜図２０は、こうした３段階移動を達成することができる代替の機構を示す。
【０１９４】
それに続いて、手持ち式ツール１００とともに使用され得るサンプリング収集組立体６０１（パンチ６０４（本明細書において２００でも示される）を備える）及びサンプル格納コンテナー６０２並びに本明細書で述べる機構のうちの任意の１つの機構を説明する。
【０１９５】
ここで図１２〜図１５を参照して、サンプリングする前に装置のスロット１０３内に位置決めされる動物の耳２０３等から組織サンプルを収集するための迅速解放ツール１００の部品及び動作を説明する。最初に、迅速解放ツール１００は、スロット１０３の一方の側で保持されるパンチ２００と、スロット１０３の対向する側で保持されるサンプルコンテナー２０７との中間に耳２０３を位置決めする。
【０１９６】
ツールは、ツール１００の本体１０１によって保持されるレバー５０１を含むアクチュエーター５００を有することができる。レバー５０１は、レバー付勢部材５０５によって図１２に示す開状態に向かって付勢することができる。デバイスのユーザーは、例えば、自分の手のひら（palm）でレバーを覆ってレバーを締付けることによって、図１２において９０４で示す方向に、付勢に抗してレバー５０１を回転させることができる。図１５に示すように、閉状態に向かってレバー５０１を回転させることで、パンチ２００の駆動ストロークを実施することになる。
【０１９７】
レバー５０１の回転は、２次ドライバー４００の直線移動をもたらすようにギア５０３を介して作用する。この実施形態において、この２次ドライバーは、パンチ２００を保持するプッシュロッド（１次ドライバー）を駆動するプッシュロッドドライバー４０１である。
【０１９８】
プッシュロッドは、図１２に見ることができる（本体１０１に対する）後退位置と、図１５に見ることができる（本体１０１に対する）伸長位置との間で駆動される。同様に、プッシュロッドドライバー４０１は、図１２に示す（本体１０１に対する）第１の位置と、図１５に示す（本体１０１に対する）第２の伸長位置との間で往復運動する。
【０１９９】
パンチ２００の駆動ストロークを実施するためのプッシュロッド３０１及びプッシュロッドドライバー４０１の相対的移動は、図１２〜図１５においてシーケンスで示されている。以下の説明において、図において矢印９００で示す駆動ストロークの方向は、第１の方向９００と呼ばれる。図において矢印９０１で示す逆方向は、第２の方向９０１と呼ばれる。
【０２００】
シーケンスは、図１２に示すように、プッシュロッドドライバー４０１が、その第１の後退位置に向かって第２の方向９０１に移動することによって始まり、これは、レバー付勢部材５０５の付勢の下で起こるようになっている。プッシュロッド３０１がばね８０６によってプッシュロッドドライバー４０１に結合されているため、この移動は、プッシュロッド３０１をその後退位置に引込むことになる。プッシュロッドドライバー４０１が第２の方向９０１に移動し続けるとき、第２の方向９０１へのプッシュロッド３０１の対応する移動は、停止部８０４によって制限される。そのため、プッシュロッド３０１及びプッシュロッドドライバー４０１の間でばね８０６を圧縮する相対的移動が起こるものとすることができる。
【０２０１】
プッシュロッドドライバー４０１がその第１の後退位置に達すると、プッシュロッド及びプッシュロッドドライバーは、デテント８０１によってともに結合する。デテント係合は、プッシュロッド端３０１と停止部８０４との中間のボール８０２が、プッシュロッド軸の半径方向に外方に変位され、停止部８０４上に誘導されることによる。ボール８０２は、プッシュロッドドライバー４０１の対応する凹所８０３内に変位される。そのため、プッシュロッド３０１は、プッシュロッドドライバー４０１に結合し、そのとき、プッシュロッド３０１は（ドライバーに対して）準備位置にあり、結合８００は、同様に、ばね８０６をその圧縮状態で保持する。
【０２０２】
図１３に示すように、アクチュエーター５００は、結合されたプッシュロッド３０１及びプッシュロッドドライバー４０１を第１の方向９００に駆動するために係合し、圧縮されたばね８０６をドライバーとともに運ぶ。この状態で、プッシュロッド３０１は、パンチ２００をその組織穿孔動作位置（この場合、パンチ２００が、動物の耳を貫通して駆動されており、コンテナー２０７によって収納されている地点である）まで駆動する。しかし、この時点で、プッシュロッド３０１は、（本体１０１に対して）その完全に伸長した位置にまだ達していないし、プッシュロッドドライバー４０１は、その第２の位置に達していない。
【０２０３】
プッシュロッドドライバー４０１が（本体１０１に対して）その第２の位置に向かって前進する際、結合されたドライバーはトリップ７００に直面し、トリップ７００は、この場合、カム表面７０１（例えば、図８に見ることができるカム表面）である。カム表面７０１に対する第１の方向９００への結合されたドライバーの移動は、デテントボール８０２を、結合８００を解放するように半径方向に内方に誘導又は変位させる。
【０２０４】
結合８００の解放によって、ばね８０６の戻り力は、プッシュロッド３０１を、第２の方向９０１に（プッシュロッドドライバーに対して）後退位置まで押戻し、一方、プッシュロッドドライバー４０１は、（本体１０１に対して）その第２の位置に留まる。これは、図１４に示されている。
【０２０５】
プッシュロッド３０１及びプッシュロッドドライバー４０１のこの一時的な切離し及びばね８０６の付勢力の下でのプッシュロッド３０１の後退に続いて、プッシュロッド３０１とプッシュロッドドライバー４０１との間の２次結合が確立される。例えば、ドライバーを係合させる表面同士の接触又はドッグの選択的係合が存在することができる。図１２〜図１５に示す実施形態において、係合は、プッシュロッドの肩部３０７とプッシュロッドドライバー４０１の端表面４０２との間で起こる。プッシュロッドドライバー４０１は、プッシュロッド３０１が第２の方向９０１に戻るときに肩部３０７と接触させられる。
【０２０６】
プッシュロッドドライバー４０１は、肩部３０７を押して、プッシュロッド３０１がその伸長限界に達するまで両方のドライバーが第１の方向９００にともに継続して進むようにプッシュロッド３０１を駆動することができ、したがって、駆動ストロークが終了する。
【０２０７】
駆動ストロークが終了した後、プッシュロッド３０１及びプッシュロッドドライバー４０１はともに、レバー取付け式ばね５０５の付勢力の下でそれぞれの開始位置まで戻ることができる。代替の手段が、プッシュロッドドライバー（及び／又はプッシュロッド）をそれらの開始位置に向かって付勢するために使用される可能性があることが留意されるであろう。例えば、ギア５０３の歯は、駆動ストロークの終りに係脱して、装置の本体１０１とプッシュロッドドライバー４０１との間で作用するばねが、ドライバーをその第１の位置に戻すことを可能にすることができる。更なる実施形態において、付勢力が存在しない場合があるため、矢印９０３の方向へのレバーの手作業による回転が、機構をリセットするために必要とされる。
【０２０８】
ここで図１６〜図２０を参照すると、１次ドライバー３００の３段階移動についての機構は、上記で述べたように１次ドライバー及び２次ドライバー３００，４００を含むことができるが、この実施形態において、１次ドライバー３００自体は、２つの相対的に移動可能な部品、すなわち、３次ドライバー３０５及び４次ドライバー３０６を備える。
【０２０９】
３次ドライバー３０５は、パンチを提供する、パンチを保持する、又はパンチに接続するプッシュロッド３０１とすることができる。３次ドライバー３０５は、４次ドライバー３０６内で伸縮自在に摺動することができる。
【０２１０】
３次ドライバー及び４次ドライバーは、ともに移動するために選択的に結合されることができる。３次ドライバーと４次ドライバーとの間の結合の特徴は、１次ドライバー及び２次ドライバーに関して述べたものと本質的に同じとすることができ、１次ドライバー及び２次ドライバーに関して上記で述べたように完全に働くばね８０６とデテント８０１との係合が存在する。これらは図に見ることができる。トリップ７００表面は、図から見られないが存在し、トリップ７００表面には、最初に、結合された３次ドライバー及び４次ドライバーが、その後、結合された１次ドライバー及び２次ドライバーが直面して、上記実施形態に関して上記に述べたようにそれらの間の結合を順次解放し得る。
【０２１１】
１次ドライバー３００は、図１６に見ることができる（本体１０１に対する）後退位置と、図２０に見ることができる（本体１０１に対する）伸長位置との間で駆動される。同様に、２次ドライバー４００は、図１７に示す（本体１０１に対する）第１の位置と、図２０に示す（本体１０１に対する）第２の伸長位置との間で往復運動する。
【０２１２】
３次ドライバー３０５は、図１６に見ることができる（４次ドライバー３０６に対する）後退位置と、図１７に見ることができる４次ドライバー３０６に対する）伸長位置との間で移動可能である。
【０２１３】
パンチ２００の駆動ストロークを実施するためのドライバーの相対的移動は、図１６〜図２０においてシーケンスで示されている。以下の説明において、図の矢印９００で示す駆動ストロークの方向は、第１の方向９００と呼ばれる。図の矢印９０１で示す逆方向は、第２の方向９０１と呼ばれる。
【０２１４】
図１６は、付勢部材８０６のいずれかに負荷を与えられる前の機構を示し、２次ドライバー４００はその第２の位置にあり、１次ドライバー３００は、２次ドライバー４００に対して後退し、本体１０１に対してその後退の限界にある。３次ドライバー３０５は４次ドライバー３０６に対して後退している。
【０２１５】
シーケンスは、図１７に示すように、第１の後退位置に向かう第２の方向９０１への２次ドライバー４００の移動で始まる。１次ドライバー３００の移動は、停止部８０４によって制限される。そのため、ばね８０６を圧縮する１次ドライバーと２次ドライバーとの間の相対的移動が起こる。
【０２１６】
３次ドライバーの端３０８は、好ましくは、所定の場所に保持され、一方、２次ドライバー４００は、図１６及び図２４に見ることができるように、第２の方向９０１に移動する。例えば、３次ドライバー端３０８がパンチ２００に係合する場合、パンチは、孔３０９に押嵌めすることができ、これは、駆動ストロークが始まるまで、ドライバー端３０８を所定の場所に保持するのに役立つことができる。４次ドライバー３０６が、２次ドライバー４００とともに第２の方向９０１に戻るとき、静止する３次ドライバー３０５が（４次ドライバー３０６に対する）その伸長位置まで引出されることが見ることができる。
【０２１７】
２次ドライバー４００がその第１の後退位置に達すると、２次ドライバー及び１次ドライバーは、３次ドライバー及び４次ドライバーがそうであるように、デテント８０１によってともに結合される。１次ドライバーと２次ドライバーとの間のデテント８０１係合は、ドライバー端と停止部８０４との中間のボール８０２が、ドライバー軸から半径方向に外方に変位され、停止部８０４によって誘導されることによる。３次ドライバーと４次ドライバーとの間のデテント８０１係合は、ボール８０２が、例えば磁気力の下で、対応する凹所に入るように半径方向に外方に変位されることによる。また、デテント結合８０１は、ばね８０６を圧縮状態で保持する。
【０２１８】
アクチュエーター５００は、結合されたドライバーを第１の方向９００に駆動するために係合し、圧縮されたばね８０６をドライバーとともに運ぶ。この状態で、パンチ２００は、図１８に示すように、組織サンプルを収集するために動物の耳２０３を貫通して駆動される。しかし、この時点で、１次ドライバー３００は、（本体に対して）その完全に伸長した位置にまだ達していないし、２次ドライバー４００は、その第２の位置に達していない。３次ドライバー及び４次ドライバーがトリップ７００に直面すると、ボール８０２は、内方に誘導され、磁気力に打勝って、結合を解放する。３次ドライバーは、ばね８０６の力の下で、第２の方向９０１に戻るように後退する。
【０２１９】
２次ドライバーは、第１の方向９００に移動し続ける。２次ドライバー４００が（本体１０１に対する）その第２の位置に向かって前進する及び／又はそこに達すると、１次ドライバー３００は、その伸長の限界まで駆動され、したがって、駆動ストロークは終了する。しかし、この時点で、結合した１次ドライバー及び２次ドライバーはトリップ７００に直面する。デテント８０１結合はトリップによって係脱され、１次ドライバー３００は、ばね８０６の付勢力の下で（本体に対する）その後退位置まで後退する。
【０２２０】
この実施形態において、動物の耳から１次ドライバーを出来る限り迅速に取除くために、駆動ストロークの終りにおける１次ドライバー３００のその後退位置への即座の後退が存在する。
【０２２１】
上記で論じたように、いずれかの機構（図１２〜図１５に示す、又は、図１６〜図２０に示す）が使用されて、１次ドライバーの３段階移動を実施し得る。収集されたサンプルをサンプル格納コンテナーに挿入することができ、格納コンテナーのキャップを適用することができるように、サンプル収集組立体に連結されたパンチを駆動するために、こうした３段階移動がどのように使用され得るかがここで述べられる。
【０２２２】
パンチを含むサンプル収集組立体は、図２１〜図４５に示されている。サンプル収集組立体が、１次ドライバー３００の端に係合し、それにより駆動される可能性があることが意図される。
【０２２３】
図２１〜図４５を参照すると、パンチを有するサンプル収集器６０１及び格納コンテナー６０２が示されている。図２１に見られるように、サンプル格納コンテナー６０２が示され、サンプル格納コンテナー６０２は、端壁６１８及び側壁６１７によって終端される収容領域６１６を有するコンテナー本体６１５を含み、キャップ６１９を含む。
【０２２４】
好ましい形態において、収容領域６１６の端壁６１８は、閉鎖され、開口可能でない。端壁６１８は、代替的に、開口可能であるものとすることができる。好ましい形態において、側壁及び端壁は一体形成される。コンテナー本体６１５は、好ましくは、プラスチック材料で作られる。コンテナー本体６１５は、成形プラスチック材料であるものとすることができる。収容領域６１６の内部に防腐剤を設けることができる。
【０２２５】
格納コンテナー６０２は、サンプル収集器に保持されたサンプルを収納することができる。サンプルを収納する前に、収容領域６１６は、好ましくは、シールされる。好ましい形態において、また、格納コンテナー６０２は、サンプル収集器が格納コンテナーに貫入する場所における端部を、好ましくは、コンテナー本体６１５と一体形成される又はコンテナー本体６１５に留められる、好ましくは取外し可能に留められるキャップ６１９の形態で含む。キャップ６１９は、動物の耳等からのサンプルを採取すると、サンプル収集器６０１を収納する。
【０２２６】
キャップ６１９は、好ましくは、ねじ山６２０によってコンテナー本体６１５に螺合する。キャップは、コンテナー本体６１５にねじ込む、また好ましくは、コンテナー本体６１５の中に部分的に上ることができる。キャップは、収容領域にアクセスするために、コンテナー本体からねじって外すことができる。これは、収容領域内のサンプルにアクセスするために試験所で行うことができる。
【０２２７】
好ましい形態において、キャップは、入口６２２及び入口６２２に対向する端部６２３を有する通路６２１を有する。通路６２１は、サンプル収集器６０１をぴったり収納することができる形状及び構成である。通路６２１は、好ましくは、形状が円筒状である。好ましい形態において、通路６２１の側壁は、パンチ６０４の外部側壁に実質的に対応する。こうした外部側壁は、好ましくは、断面形状が丸い。好ましくは、サンプル収集器が通路内に位置するとき、キャップとサンプル収集器との間にギャップ又は通路は全く存在しない。これは、格納領域６１６をシールするのに役立つ。
【０２２８】
通路内で、また好ましくは、入口に対向する端部６２３において、通路は、脆いシール６２４によってシールされる。またこれは、プラグ又は膜であるものとすることができる。脆いシール６２４は、キャップ６１９がコンテナー本体６１５に留められるときでかつサンプル収集器が収納される前に、コンテナー本体の収容領域６１６をシールする。脆いシール６２４は、好ましくは、脆く取付けられるため、サンプル収集器が通路６２１内に送出されると、サンプル収集器が、シール６２４を押付けて、シール６２４を少なくとも部分的に分離させ、サンプルが格納領域６１６に押込まれることを可能にすることができる。好ましい形態において、脆いシールが少なくとも部分的に分離して格納領域６１６を開口すると、サンプルは、パンチ６０４の切除端のボア６０８に依然として保持される。
【０２２９】
キャップは、好ましくは、収容領域をシールするのに役立つ更なる機能及び／又は特徴を有し、それは、本明細書で述べられる。
【０２３０】
サンプル格納コンテナー６０２は、図２１に同様に示すサンプル収集器６０１を収納することができる。
【０２３１】
サンプル収集器６０１は、切除端６０６に、パンチ６０４に連結する又はパンチ６０４の一部であるカッター６０５を含む。
【０２３２】
図２４に示すサンプル収集器６０１は、サンプリングされる有機体６０３及び格納コンテナー６０２に対してサンプリング前の状態にあり、格納コンテナー６０２に整列し、両者の中間に、例えば、動物の耳の一部６０３が位置決めされる。
【０２３３】
サンプル収集器６０１は、サンプリングされる有機体内に貫入することができる切除端６０６を提示するカッター６０５を有する本体を有するパンチ６０４を備える。
【０２３４】
カッター６０５は、パンチ６０４の第１の端部に設けられる。パンチは、対向する駆動端６０７を有する。パンチを、例えば上記で述べられた一次ドライバー又は三次ドライバーによって駆動することができるのは駆動端においてであり、ドライバーは、切除端（及び好ましくは、収集器全体）を、サンプリングされる有機体内に少なくとも部分的に、また好ましくは、有機体全体を貫通して押すためのものである。好ましい形態において、サンプル収集器６０１全体は、最終的に、サンプリングされる組織を貫通して押される。
【０２３５】
パンチ６０４の本体は、好ましくは、ボア６０８を有する。ボア６０８は、パンチ６０４の一端から他端まで延在する。ボア６０８は、好ましくは、切除端６０６と駆動端６０７との間でパンチ６０４の長さに沿って延在する。好ましくは、パンチ６０４は、細長く真っ直ぐな本体であり、ボアは、パンチ内で中心に位置する。カッター６０５は、このボアの少なくとも一部を画定する。ボアは、好ましくは、断面が円形である。
【０２３６】
図２２に見ることができる好ましい形態において、カッター６０５は、好ましくは、円形切除端を有する。好ましくは、カッターは、実質的に円筒状である。代替の形状を使用することができることが認識されるであろう。代替の形状は、例えば、３面以上であるものとすることができる。
【０２３７】
カッター６０５は、パンチの切除端に設けられて、有機体からのサンプルの摘出を容易にする。カッターは、パンチに取付けることができるか、又は、カッターは、カッター及びパンチが単一部品として形成されるようにパンチと一体であることができる。カッターは、有機体を貫通して押すことによってコアサンプルを採取するために形成される必要はなく、サンプルは、代わりに、有機体の表面の縁で採取される。しかし、円筒セクション等の中空セクションであることは、カッターがプラグとしてサンプルを保持できるという更なる利益を提供する。有機体内に及び好ましくは有機体を貫通して駆動されると、サンプルは、パンチのボア６０８において保持される。カッター６０５は、好ましくは、パンチの切除端においてパンチのボア６０８の一端から延在し、ボア６０８の一端を囲む。
【０２３８】
図２１及び図２２に示す形態において、ボア６０８は、プランジャー６０９がパンチ６０４のボア内に位置するという条件から、事実上ブラインドボアである。プランジャー６０９はボアに整列する。プランジャー６０９は、パンチのボア６０８において保持されて、サンプル収集器６０１の一部を形成する。一形態において、プランジャーは、ボア４から少なくとも部分的に突出する。サンプリング前の状態にあるプランジャー及びパンチは、サンプル収集器６０１が有機体内に及び／又は有機体を貫通して駆動されるときに、切除端６０６から内方に延在しかつボアの一部であるキャビティが、サンプルを収集するために設けられるように構成される。
【０２３９】
プランジャーは、第１の端６８７及び第２の端６６６を有する。第１の端は、サンプルをキャビティから押出すためにサンプルに押付ける押付け端である。第２の端は、以降で述べることになる仕方でプランジャーを駆動する駆動端である。ボア６０８内へのプランジャー６０９の嵌合は、ぴったり合うが、プランジャーがパンチに対して摺動することを可能にする。好ましい形態において、プランジャーの外側表面は、ボアの内側表面に隣接する。これは、パンチ６０４とプランジャー６０９との間に密接な嵌合構成が設けられ、それにより、パンチの駆動端からボアを通ってパンチの切除端への又は切除端に向かう汚染物質の侵入を防止するのに役立つ。プランジャー及びパンチは、互いに摺動可能な関係にある。プランジャー及びパンチは、互いに摺動可能な関係にあるため、サンプルは、有機体から収集され、切除端６０６においてまたその近くでボア内に保持されると、プランジャー６０９によってボアから排出することができる。好ましくは、第１の端は、切除端６０６までずっと押付けられ、それにより、サンプル収集器から収集済みサンプルを排出することができる。プランジャーの作動は、プランジャーの第１の端を押すことによって行うことができる。プランジャーは、図３７に示すアクティブ位置に位置決めされ、本明細書で述べるように図３９に示す突入済み位置まで移動することができる。
【０２４０】
好ましくは、プランジャー６０９は、プランジャーがパンチ６０４から出るよう駆動端６０７から引張り出されることを防止する拡大領域６１３を含む。パンチのボア内における拡大及び対応する締付けは、プランジャーの移動を制限し、プランジャーは、プランジャーをパンチから出るよう駆動端６０７から引張り出すことによって除去できない。これは、サンプルが収集され、キャビティに保持されるか又は格納コンテナーの収容領域６１６内に更に放出されると、サンプルに対して外部アクセスが行われることを防止するのに役立つ。
【０２４１】
好ましい形態において、プランジャーの作動は、ボアから収容領域６１６内にサンプルを排出させる。
【０２４２】
プランジャー６０９は、好ましくは、ＥＩＤタグ６１４を含む。
【０２４３】
これまでに述べたプランジャーは、パンチのボアに沿って軸方向に移動して、カッター６０５によって収集されるサンプルが、収集器から格納コンテナー６０２の収容領域６１６内に押込まれることを可能にすることができる。プランジャーは、カッターからのサンプルを押付けることができる押付け端６８７を含み、また、プランジャーは駆動端６６６を含む。
【０２４４】
切除端に対向する駆動端において、サンプル収集器６０１は、好ましくは、サンプルが収集されるようにするために、例えば、動物の耳を貫通してサンプラーデバイスによって変位するように押付けることができる。
【０２４５】
サンプル収集器６０１は、サンプリングのプロセス中にツールドライバー６２６に連結される。サンプル収集器及びツールドライバーは、細長いストリングとして組立てることができる。使用中、ツールドライバーは、最初に、動物の耳を貫通してサンプル収集器を押す。ツールドライバーは、その後、プランジャーを押すようにさせられて、サンプルを収容領域内に放出することができ、その後、任意選択で、収容領域をシールすることができる。これは、以下に述べられる。
【０２４６】
ツールドライバー６２６は、サンプリングのために設けられ、例えば、図２４及び図２５に見られるように、サンプル収集器に接続される。接続されたツールドライバー及びサンプル収集器の形態は、構成要素が軸方向に整列され、整列軸に沿ってドリルストリングに似た細長い（好ましくは、真っ直ぐな）ストリングに似ているようなものである。
【０２４７】
好ましい形態において、プッシュロッド６６２は、サンプリングプロセス中にツールドライバー６２６に取外し可能に接続される。プッシュロッド６６２は、任意選択で、サンプル収集器及びツールドライバーを動物の耳を貫通して駆動するために設けられ、サンプラーデバイス１３００の駆動ロッドの周りに伸長部又はスリーブを提供する。これは、サンプリングプロセス中にサンプルの相互汚染を回避するのに役立つ。プッシュロッド６６２は、サンプリングが行われると、ツールドライバー６２６から取外すことができる。図２３ａに見ることができるように、締まり嵌めプラグ６６７が設けられる。締まり嵌めプラグ６６７は、ツールドライバー６２６の端のソケット６６８に位置することができるが、十分な力を加えると、そこから取外すことができる。任意選択でプッシュロッド６６２を含んだ場合のサンプル収集器６０１及びツールドライバー６２６の組立体は、実質的に一定径プロファイル又は他の外部プロファイルである実質的にスレンダーな細長い構成である。これは、組立体が、サンプルを収集するために動物の耳を貫通して押すことができることを保証するのに役立つ。見ることができるように、サンプル収集器及びツールドライバー及びプッシュロッドは、好ましくは、細長くかつ真っ直ぐであり、ドリルストリングの場合と同様に直列に接続される。サンプル収集器及びツールドライバー及びプッシュロッドは、好ましくは、軸方向に整列する。
【０２４８】
プッシュロッド６６２は、図２３ａに見られるように、好ましくは、サンプラーデバイスのアクチュエータードライバー用のスリーブとして働く構成である。キャビティ６６９が設けられ、キャビティ６６９内に、アクチュエータードライバーが位置して、プッシュロッド６６２の端壁６７０を押付けることによって、サンプル収集器、ツールドライバー、及びプッシュロッドの組立体を駆動することができる。
【０２４９】
プランジャー６０９は、プランジャー及びツールドライバーが互いに対して第１の位置と第２の位置との間で移動することができるように、ツールドライバー６２６と伸縮自在関係を有する。伸縮自在関係によって容易にされると、プランジャー及びツールドライバーは、歯止め様接続で係合することができる。歯止め様接続は、一方の伸縮方向への移動を可能にするが、動きを防止するか又は反対方向への或る特定の地点を越える動きを防止するように働く。歯止め様接続は、ドッグ若しくはアンブレラに似た構造６６５、又は、プランジャー若しくはツールドライバーによって提供される、若しくはプランジャーとサンプル収集器ドライバーとの両方の相互作用によって提供される、他の物理的閉塞部若しくは係合部の形態であるものとすることができる。
【０２５０】
考えられる歯止め様接続の幾つかの例は、図３１ｂ〜図３１ｊに示されている。好ましい実施形態において、プランジャーは、アンブレラ６６５によって規定される駆動端６６６を含むことができる。アンブレラは、図３４に示すように拡張状態に自然に付勢されるが、図３３に示す収縮状態をとらせることができる／収縮状態をとるように強制することができる。
【０２５１】
ツールドライバー６２６とパンチ６０４とプランジャー６０９との関係は、３つの構成要素が互いに対して軸方向に変位できるようなものである。これは、以下に述べられる。サンプル収集器及びツールドライバー及び格納コンテナーは、サンプリングするために、サンプラーデバイス１３００によって保持することができる。
【０２５２】
図２５に見られる第１の状態（パンチング状態）において、ツールドライバー６２６は、相互接続部６７１においてパンチ６０４に係合するため、ツールドライバー６２６に押付けるプッシュロッド６６２を介してサンプラーデバイス１３００のアクチュエーター機構によって加えられる力は、パンチ６０４を押すことができる。パンチ６０４及びツールドライバー６２６は、このように動物の耳を貫通してサンプル収集器及びツールドライバーを駆動するように押すために、互いに対してコンパクトな位置にある。パンチ及びプランジャーは、互いに対して後退位置にあるため、キャビティが、カッター及びプランジャーによって画定されて、サンプルが収集され、キャビティ内に保持されることを可能にする。プランジャー及びツールドライバーは、プランジャーがツールドライバーのキャビティ６７２内に位置する第１の位置にある。プランジャーのアンブレラは収縮状態にある。そのため、第１の状態において、
１．ツールドライバー及びパンチはコンパクトな位置にあり、
２．パンチ及びプランジャーは後退位置にあり、
３．プランジャー及びツールドライバーは、アンブレラが収縮状態にある状態で第１の位置にある。
【０２５３】
サンプル収集器、及び好ましくは、同様にツールドライバーは、この第１の位置において、動物の耳を貫通して駆動され、図２６に見られるように格納コンテナーに係合することができる。
【０２５４】
第２の状態において、図２９に見られるように、カッターが動物の耳を通過し、サンプルがキャビティ内に保持された後、プランジャー６０９は、パンチ６０４に対して後退位置にあるままである。パンチは、格納コンテナーのキャップによってぴったり保持され、ツールドライバーは、サンプラーデバイスの機構によって、ツールドライバーがもと来た場所に向かって後戻りする。ツールドライバー及びパンチは、第２の状態において互いに対して拡張位置にある。ツールドライバー及びパンチは、好ましくは伸縮的に係合する。パンチ及びプランジャーは、後退位置にあるが、プランジャー及びツールドライバーは、互いに対して第２の位置にあり、第２の位置では、アンブレラが拡張状態にあり、もはやキャビティ６７２内にない。
【０２５５】
そのため、第２の状態において、
１．ツールドライバー及びパンチは、拡張位置にあり、上記で述べたサンプラーデバイスのスタッター機構によってそのように構成されており、
２．パンチ及びプランジャーは後退位置にあり、
３．プランジャー及びツールドライバーは、アンブレラが拡張状態にある状態で第２の位置にある。
【０２５６】
図３５に見られる第３の状態において、ツールドライバーは、パンチに向かって元通りに押され、また好ましくは、その以前のコンパクト位置に又はその近くに押される。これは、以降で述べられることになるサンプラーデバイスの駆動機構によって達成される。第３の状態において、プランジャーは、パンチに対して前進位置に移動している。ツールドライバー及びプランジャーは、アンブレラが拡張状態にある状態で第２の位置にあるままである。また、ツールドライバーは、ここで、キャップにおいて格納コンテナーに完全に着座し、格納コンテナーをシールすることができる。
【０２５７】
そのため、第３の状態において、
１．ツールドライバー及びパンチはコンパクトな位置に又はその近くにあり、
２．パンチ及びプランジャーは、２次ドライバー又は４次ドライバーが、中間位置での切離し後に再び前進することによって、前進位置にあり、
３．プランジャー及びツールドライバーは、アンブレラが拡張状態にある状態で第２の位置にある。
【０２５８】
プランジャーの対向する遠位端は、パンチ及びツールドライバーがコンパクトな位置にあるときに、収縮状態にあるアンブレラ６６５を含む。アンブレラは、ツールドライバー６２６の第１のキャビティ６７２内にあることによって収縮状態に保持される。第１のキャビティ６７２は、図２３ｂに見られるようにプランジャー６０９のアンブレラ６６５を収縮状態に保持することになる特質がある。好ましい形態において、プランジャーの駆動端６６６は、第１のキャビティ６７２の端壁６７３に接して位置する。プランジャー６０９は、第１のキャビティから第２のキャビティ６７４を通してツールドライバー６２６から延在する。好ましくは、第１のキャビティ６７２は、第１の径のボアである。第２のキャビティ６７４は、好ましくは、より大きな径のボアであり、プランジャーが、ツールドライバー６２６に対してかつ第１のキャビティ６７２から出るように軸方向に変位したときに、プランジャーの駆動端６６６が係合することができる端壁６７５を含む。変位すると、拡張状態に自然に付勢されるアンブレラ６６５は、拡張することができ、こうして拡張すると、その後、第１のキャビティ６７２に再び入ることができない。代わりに、駆動端６６６は、第２のキャビティ６７４の端壁６７５に接触することができる。ツールドライバー６２６に対して軸方向に変位した状態にあるとき、格納コンテナーに向かってツールドライバー６２６を更に駆動することは、プランジャーがパンチに対して変位することをもたらすことになる。これは、駆動端６６６と第２のキャビティの端壁６７５との相互作用によって起こる。
【０２５９】
アンブレラ６６５は、好ましくは、プランジャー６０９の一部として一体形成される。プランジャー及びそのアンブレラは、好ましくは、プラスチック材料で作られ、アンブレラは、好ましくは、拡張状態で自然に形成されるが、アンブレラが図２３ｂに見られるように収縮状態に圧潰されることを可能にする構成である。
【０２６０】
図２５及び図２６に見ることができるように、サンプル収集器及びツールドライバーが動物の耳へと駆動されると、サンプル収集器及びツールドライバーは、コンパクトな位置にあり、パンチの駆動が、ツールドライバーとパンチとの間の相互接続によって起こる。図２６において、サンプル６１２が、摘出され、カッター６０５によって保持されることを見ることができる。プランジャーは、依然として、カッターに対して後退位置にあり、カッター６０５からサンプルを排出するために移動していない。
【０２６１】
格納コンテナー６０２及び好ましくはそのキャップ６１９は、パンチ６０４をぴったり収納し、キャップ６１９のボア内へ摺動移動させるために誘導することができる。サンプル収集器及びツールドライバーの組立体は、図２７に見られるように動物の耳を貫通して駆動することができる。上記で述べたように、パンチとツールドライバーとプランジャーとの軸方向の関係は、サンプリングのこのステージにおいてサンプルが採取される前と同じままである。ツールドライバー及びサンプル収集器の組立体は、動物の耳を貫通して変位するだけであり、格納コンテナー６０２のキャップに係合している。サンプル収集器は、脆いシールに達するためにキャップのボア内を前進できる。このシールは、好ましくは、これまでに述べた構成である。パンチは、脆いシール６２４を取除くために押付けることができる。
【０２６２】
好ましくは、脆いシール６２４が破壊されると（しかし、代替的に、この時点の前に）、ツールドライバー６２６とサンプル収集器６０１との軸方向の関係は変化する。ツールドライバー６２６は、図２９に見られるように、ツールドライバー６２６がもと来た場所に向かって少なくとも部分的に元通り後退し、キャップから出るように少なくとも部分的に後戻りする。サンプリングデバイスの機構は、この変位をもたらすことができる。サンプル収集器６０１（パンチ６０４及びプランジャー６０９）は、サンプル収集器６０１がサンプラーデバイスによって送出された、格納コンテナーに対するその位置にあるままであり、ツールドライバー６２６とともには元通り後退しない。ツールドライバー６２６の部分的な後退は、プランジャー６０９の駆動端６６６がツールドライバー６２６の第１のキャビティ６７２から出るように変位することを可能にするのに十分な距離の相対的な軸方向変位をもたらす。これは、アンブレラを拡張させる。好ましくは、後退距離は、駆動端６６６が第１のキャビティ６７２から出るように移動し、アンブレラが拡張することを可能にするために必要とされる距離より実質的に大きくない。その拡張状態にあるアンブレラは、ここで、ツールドライバー６２６の第２のキャビティ６７４の端壁６７５に係合することができる。
【０２６３】
図３０及び図３１ａに見られるように、プランジャーの駆動端６６６のサイズ又は形状ｄ１は、サンプル収集器ドライバーのキャビティ６７２のサイズｄ２とほぼ同じである。これは、パンチがツールドライバーに対してそのコンパクトな位置にあり、プランジャーがサンプル収集器ドライバーに対して第１の位置にあるときである。サンプル収集器ドライバーに対するプランジャーの第２の位置において、駆動端のサイズ又は形状Ｄ１は、サンプル収集器ドライバーの第２のキャビティのサイズ又は形状Ｄ２に対応する。
【０２６４】
キャップ内へのツールドライバー６２６の更なる変位は、図３２に見られるように、ツールドライバー６２６がプランジャー６０９を駆動するようにさせ、それにより、カッター６０５からサンプル６１２を排出することになる。
【０２６５】
図３５に見ることができるツールドライバー６２６の継続する前進は、ツールドライバー６２６がキャップの通路内に留まるようにさせ、それにより、収容領域に対する更なるシールを提供することになる。ツールドライバー６２６は、キャップのボアの環状凹所６７７に押込むことができる拡大部６７６を含むことができる。拡大部と環状凹所との相互作用は、格納コンテナー６０２の格納領域６１６へのまたそこからの汚染物質及び／又はサンプル材料の侵入又は侵出に対する更なる障壁を提供することができる。また、拡大部と環状凹所との相互作用は、キャップに対して固定した関係でツールドライバーを保持するのに役立つことになるため、プッシュロッド６６２に加えられる後退力は、図３６に見ることができるように、ツールドライバー６２６からのプッシュロッド６６２の解放をもたらすことになる。
【０２６６】
図３７〜図３９の画像のシーケンスにおいて見ることができるように、図３７に見られる第１の状態において、ツールドライバー６２６及びパンチ６０４は、互いに対してコンパクトな関係にあり、プランジャー６０９は、パンチ６０４に対して後退位置にある。これは、組立体のパンチモードである。図３８において、パンチ及びツールドライバーは、互いに対してその拡張位置にあり、ツールドライバー６２６は、パンチ６０４から離れるように後退して、アンブレラ６６５が拡張することを可能にし、駆動端６６６がサンプル収集器ドライバーの端壁６７５に接触することを可能にする。元通りパンチ６０４に向かうツールドライバー６２６の前進は、その後、プランジャー６０９をその前進位置までパンチ６０４に対して変位させ、サンプルを排出させることになる。また、元通りにパンチ６０４に向かう変位は、ツールドライバー６２６を、ツールドライバー６２６が図３７に見られるパンチ状態にあったときよりも、キャップ内に更に入るように変位させることになるため、ツールドライバー６２６は、キャップのボアを完全にシールすることができる。
【０２６７】
代替の形態において、ツールドライバーは、サンプル収集器を格納コンテナー内に駆動、プランジャーを作動させた後にサンプル収集器から取外すことができる。ツールドライバーは、格納コンテナーをシールしないものとすることができる。ツールドライバーを廃棄することができる。
【０２６８】
図３１ｂ〜図３１ｊは、プランジャーとサンプル収集器ドライバーとの伸縮自在歯止め関係に対する変形を示す。図３１ｃ、図３１ｅ、図３１ｇ、及び図３１ｉは、ドライバー及びプランジャーであって、両者の関係が、組立てられると、プランジャーが後退位置にある場合になる、ドライバー及びプランジャーを示し、図３１ｄ、図３１ｆ、図３１ｈ、及び図３１ｊは、ドライバー及びプランジャーであって、両者の関係が、組立てられると、プランジャーが前進位置にある場合になる、ドライバー及びプランジャーをそれぞれ示す。
【０２６９】
サンプル収集器及びツールドライバー及び格納コンテナーは、カートリッジ１３０３に関連する形態で設けることができる。カートリッジは、図４０及び図４１に見られるように、格納コンテナー保持領域１３０６とサンプル収集器及びツールドライバー保持領域１３０７とを画定する本体であるものとすることができる。このカートリッジの分解図は図４２に示されている。カートリッジ１３０３の本体は、軸方向に整列した状態で、サンプル収集器及び格納コンテナー及びツールドライバーを保持する。本体は、サンプル収集器からギャップ１３０８によって分離された状態で格納コンテナーを保持する。図４４に見られるように、ギャップ１３０８は、サンプルを採取するために、動物の耳６０３がギャップに挿入され、軸方向に整列されるように提示されるのに十分に大きい。カートリッジ１３０３は、上記で述べたようにサンプラーデバイス内にロードすることができる。カートリッジ１３０３は、好ましくは、取外し可能にロードすることができるため、サンプルが採取されると、カートリッジは取外すことができる。取外されると、格納コンテナーは、カートリッジに連結されたままであり、更なる処理のためにユニットとして試験所に輸送することができる。
【０２７０】
図４１の配置構成の断面図は図４３に示されている。これは、サンプリング前の状態であり、この状態では、ツールドライバー及びサンプル収集器６０１はギャップ１３０８の一方の側にあり、格納コンテナー６０２はギャップの反対側にある。図４４は、動物の耳６０３のサンプルを採取するために送出されるサンプル収集器６０１及びツールドライバー６２６の組立体を示す。図４５は、サンプル収集器に送出されたサンプル収集器及びツールドライバーを示し、ツールドライバー６２６はサンプル収集器のキャップをシールし、プランジャーは、格納領域６１６内にサンプル６１２を押込むために作動されている。
【０２７１】
カートリッジ１３０３は、サンプラーデバイスに取外し可能に連結することができる。図示する取外された状態において、カートリッジ１３０３は、（好ましくは、工場で、かつ、最終使用地点への配送前に）サンプル収集器、ツールドライバー、及び格納コンテナーがカートリッジ１３０３に予め連結された状態で、サンプラーデバイスに挿入することができる。サンプリング後に、カートリッジは、格納コンテナーが依然として係合し、サンプル収集器及びサンプルを保持している状態で、サンプラーデバイスから取外すことができ、その後、検査機関に輸送することができる。上記説明において、知られている等価物を有する要素又は完全体に対して参照が行われている場合、こうした等価物は、それらが個々に記載されているかのように包含される。
【０２７２】
本発明は、例によって及び特定の実施形態を参照して記載したが、本発明の範囲又は趣旨から逸脱することなく、修正及び／又は改善を行うことができることが理解される。
【図１】
2019512689.tif 000003
【図２】
2019512689.tif 000004
【図３】
2019512689.tif 000005
【図４】
2019512689.tif 000006
【図５】
2019512689.tif 000007
【図６】
2019512689.tif 000008
【図７】
2019512689.tif 000009
【図８】
2019512689.tif 000010
【図９】
2019512689.tif 000011
【図１０】
2019512689.tif 000012
【図１１】
2019512689.tif 000013
【図１２】
2019512689.tif 000014
【図１３】
2019512689.tif 000015
【図１４】
2019512689.tif 000016
【図１５】
2019512689.tif 000017
【図１６】
2019512689.tif 000018
【図１７】
2019512689.tif 000019
【図１８】
2019512689.tif 000020
【図１９】
2019512689.tif 000021
【図２０】
2019512689.tif 000022
【図２１】
2019512689.tif 000023
【図２２】
2019512689.tif 000024
【図２３Ａ】
2019512689.tif 000025
【図２３Ｂ】
2019512689.tif 000026
【図２４】
2019512689.tif 000027
【図２５】
2019512689.tif 000028
【図２６】
2019512689.tif 000029
【図２７】
2019512689.tif 000030
【図２８】
2019512689.tif 000031
【図２９】
2019512689.tif 000032
【図３０】
2019512689.tif 000033
【図３１ａ】
2019512689.tif 000034
【図３１ｂ】
2019512689.tif 000035
【図３１ｃ】
2019512689.tif 000036
【図３１ｄ】
2019512689.tif 000037
【図３１ｅ】
2019512689.tif 000038
【図３１ｆ】
2019512689.tif 000039
【図３１ｇ】
2019512689.tif 000040
【図３１ｈ】
2019512689.tif 000041
【図３１ｉ】
2019512689.tif 000042
【図３１ｊ】
2019512689.tif 000043
【図３２】
2019512689.tif 000044
【図３３】
2019512689.tif 000045
【図３４】
2019512689.tif 000046
【図３５】
2019512689.tif 000047
【図３６】
2019512689.tif 000048
【図３７】
2019512689.tif 000049
【図３８】
2019512689.tif 000050
【図３９】
2019512689.tif 000051
【図４０】
2019512689.tif 000052
【図４１】
2019512689.tif 000053
【図４２】
2019512689.tif 000054
【図４３】
2019512689.tif 000055
【図４４】
2019512689.tif 000056
【図４５】
2019512689.tif 000057
【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
動物の組織がパンチによって貫入されるようにするデバイスであって、上記デバイスは、
本体と、
パンチ端を含む、又は、上記本体に対して、後退位置から、パンチが動物組織に少なくとも部分的に貫入する伸長位置まで別個のパンチを保持し得る、パンチロッドと、
上記本体に取付けられ、上記本体に取付けられたアクチュエーターによって少なくとも第１の位置から第２の位置まで第１の方向に上記本体に対して変位可能なプッシュロッドドライバーであって、上記プッシュロッドは、プッシュロッドドライバーに摺動可能に取付けられて、準備位置と後退位置との間でプッシュロッドドライバーに対して前記第１の方向に移動する、プッシュロッドドライバーと、
プッシュロッドとプッシュロッドドライバーとの間で選択的に動作可能なドッグと、
を備え、ドッグは、
・上記第２の位置に向かう上記プッシュロッドドライバーの前記第１の方向への移動が、上記プッシュロッドのその伸長位置への移動を与えることができるように上記プッシュロッド及び上記プッシュロッドドライバーを接続し、
・プッシュロッドがその伸長位置に達すると、トリップして、プッシュロッドをその準備位置から解放し、かつ、プッシュロッドが前記第１の方向とは反対方向である第２の方向に付勢力の影響下でその後退位置に向かって摺動するようにさせ、
前記プッシュロッドと前記プッシュロッドドライバーとは、一方を他方の内部で直線的に伸縮させることによって互いに対して移動することができ、前記ドッグは、前記プッシュロッドと前記プッシュロッドドライバーの内部に、直線的な伸縮自在関係で含まれている、デバイス。
【請求項２】
前記ドッグは、前記プッシュロッドまたは前記プッシュロッドドライバーの一方または両方のデテントと選択的に係合可能なボールを備える、請求項１に記載の装置。
【請求項３】
前記ボールは、前記プッシュロッドの移動に対して前記プッシュロッドドライバーの移動のみによって選択的に係合する、請求項２に記載の装置。
【請求項４】
前記本体は、前記プッシュロッドと反対側の前記プッシュロッドドライバーの一端に停止部を備え、
結果的に前記本体の前記停止部に押し付けられる前記ボールに作用する前記プッシュロッドの付勢力によって、前記デテントと係合する前記ボールの選択的な動作が提供される、請求項２または３に記載の装置。
【請求項５】
前記ボールと前記デテントとの係合は、前記プッシュロッドドライバーの前記プッシュロッドに対する前記第２の方向への摺動の下で行われる、請求項４に記載の装置。
【請求項６】
前記ボールの係合状態への唯一の付勢力は、
a）前記プッシュロッドが前記本体の停止部に向けて付勢された状態での動作、および
b）前記プッシュロッドと前記本体の停止部のいずれかまたは両方の前記ボールと隣接する表面の形状、である、請求項４に記載の装置。
【請求項７】
前記プッシュロッドドライバーは、前記伸長位置に対する前記プッシュロッドの後退後に、前記第１の方向に再び駆動され、前記本体に対する前記第１の方向に前記プッシュロッドを駆動して、前記プッシュロッドの駆動ストロークを終了させることができる、請求項１に記載のデバイス。
【請求項８】
前記プッシュロッド及び前記プッシュロッドドライバーは、前記第２の方向に移動するように付勢される、請求項７に記載のデバイス。
【請求項９】
前記プッシュロッド及び前記プッシュロッドドライバーは、前記駆動ストロークの終了後に、前記第２の方向に付勢力下で移動させられる、請求項８に記載のデバイス。
【請求項１０】
前記付勢力は、前記本体と、前記プッシュロッド及び前記プッシュロッドドライバーの一方又は両方と、前記プッシュロッドドライバーを作動させるアクチュエーターとの間で生成される、請求項９に記載のデバイス。
【請求項１１】
前記プッシュロッド及び前記プッシュロッドドライバーは、前記第１の方向への前記プッシュロッドドライバーの移動及び前記ドッグのトリップ後に互いに係合するように適合及び構成される、請求項１〜１０のいずれか１項に記載のデバイス。
【請求項１２】
前記プッシュロッド及び前記プッシュロッドドライバーの一方又は他方は、外方に突出する肩部を有し、前記プッシュロッドドライバーの前記第１の方向への移動及び前記ドッグのトリップ後の互いに対する係合は、前記プッシュロッド及び前記プッシュロッドドライバーの一方の肩部と、前記プッシュロッド及び前記プッシュロッドドライバーの他方の表面との間の干渉によって起こる、請求項１１に記載のデバイス。
【請求項１３】
前記プッシュロッド及び前記プッシュロッドドライバーのそれぞれは、外方に突出する肩部を有し、前記プッシュロッドドライバーの前記第１の方向への移動及び前記ドッグのトリップ後の互いに対する係合は、前記肩部の間の干渉によって起こる、請求項１２に記載のデバイス。
【請求項１４】
組織穿孔パンチを駆動するように構成可能な装置であって、本体を備え、該本体は、
ａ）前記パンチに（直接的に又は間接的に）係合する１次ドライバーと、
ｂ）作動可能な２次ドライバーと、
を保持し、
前記２次ドライバーは、後退位置から伸長位置まで前記本体に対して移動するように作動させることができ、前記１次ドライバーは、前記２次ドライバーが前記後退位置と前記伸長位置との間の或る地点にあるときに前記１次ドライバーが前記２次ドライバーから一時的に切離されているときを除いて、前記後退位置と前記伸長位置との間で前記伸長位置まで移動するときに、前記２次ドライバーに解放可能に結合されることによって、前記本体に対して前記２次ドライバーによって駆動することができ、また、付勢力下で、前記２次ドライバーが該２次ドライバーの伸長位置に向かって移動するときに前記１次ドライバーと前記２次ドライバーとの間に第２の結合が確立されるまで、前記伸長位置から離れるように移動される、装置。
【請求項１５】
前記パンチは、サンプル収集器組立体の一部であり、該サンプル収集器組立体は、少なくとも、パンチ、プランジャー、及びサンプル収集器ドライバーを備え、前記１次ドライバーは、前記サンプル収集器ドライバーに（直接的に又は間接的に）係合する、請求項１４に記載の装置。
【請求項１６】
前記２次ドライバーの後退位置から前記２次ドライバーの伸長位置までの前記２次ドライバーの移動により、前記１次ドライバーが前記本体に対する後退位置から前記本体に対する伸長位置まで移動する完全な駆動ストロークにわたって前記１次ドライバーが駆動される、請求項１４又は１５に記載の装置。
【請求項１７】
格納コンテナー内に対してサンプリング組立体を駆動し、生物学的サンプルをアイテムから収集し、前記格納コンテナー内に放出する装置であって、前記サンプリング組立体は、
ａ）サンプル収集器であって、
カッターを一端に提示するパンチであって、それにより、該パンチが前記アイテムを貫通して又は前記アイテムを越えて通過するとき、前記アイテムからサンプルを切除し保持する、パンチと、
前記パンチによって摺動可能に支持されて、前記パンチに対して後退位置と前進位置との間で移動できるプランジャーであって、前記後退位置から前記前進位置への移動は、使用中に、前記カッターに保持されたサンプルを、前記カッターから変位させる、プランジャーと、
を備える、サンプル収集器と、
ｂ）ツールドライバーであって、
前記サンプル収集器に伸縮自在に相互接続する本体であって、伸縮的にコンパクトな位置において、ツールドライバーは、前記プランジャーを前記後退位置に維持しながら、前記アイテムを貫通して前記サンプル収集器を駆動することができるため、サンプルは、前記カッターによって切除して保持することができ、伸縮的に拡張した位置において、該ツールドライバーは、前記アイテムを貫通して前記収集器を駆動するときと同じ方向に駆動され、前記プランジャーを該プランジャーの後退位置から該プランジャーの前進位置まで移動させることができる、本体、
を備える、ツールドライバーと、
を備え、
該装置は、前記格納コンテナーを保持することができる格納コンテナー保持領域と、サンプリングされるアイテムの一部を設置するためのギャップを画定するために、前記サンプリング組立体を離間して保持することができるサンプリング組立体保持領域とを有する本体を備え、該本体は、
ａ）前記ツールドライバーに（直接的に又は間接的に）係合する１次ドライバーと、
ｂ）作動可能な２次ドライバーと、
を保持し、
前記２次ドライバーは、後退位置から伸長位置まで前記本体に対して移動するように作動させることができ、前記１次ドライバーは、前記２次ドライバーが前記後退位置と前記伸長位置との間の或る地点にあるときに前記１次ドライバーが前記２次ドライバーから一時的に切離されているときを除いて、前記後退位置と前記伸長位置との間で前記伸長位置まで移動するときに、前記２次ドライバーに解放可能に結合されることによって、前記本体に対して前記２次ドライバーによって駆動することができ、また、付勢力下で、前記２次ドライバーが該２次ドライバーの伸長位置に向かって移動するときに前記１次ドライバーと前記２次ドライバーとの間に第２の結合が確立されるまで、前記伸長位置から離れるように移動され、前記１次ドライバーの前記伸長位置から離れる移動は、前記サンプル収集器及び前記ツールドライバーを、伸縮的に拡張した位置に移動させるため、前記第２の結合が確立されると、前記２次ドライバーによる前記１次ドライバーの駆動は、前記プランジャーを該プランジャーの前進位置まで移動させることになる、装置。
【請求項１８】
前記アイテムは、前記伸長位置から離れる前記移動後に、前記サンプル収集器によって穿孔される、請求項１７に記載の装置。
【請求項１９】
前記伸長位置から離れる前記移動は、前記１次ドライバーが伸長方向において該１次ドライバーの限界に達してしまう前に起こる、請求項１８に記載の装置。
【請求項２０】
前記伸長位置から離れる前記移動は、前記１次ドライバーが伸長方向において該１次ドライバーの限界に達してしまう前に、かつ、前記ツールドライバーが前記伸長位置から離れるように移動するときに前記パンチが前記ツールドライバーとともに移動することに抵抗するように、前記パンチが前記格納コンテナーによって収納され、前記格納コンテナーによって保持されるときに起こる、請求項１８に記載の装置。
【請求項２１】
前記１次ドライバーは、前記ツールドライバーを前記駆動方向及び前記後退方向に移動させることができるように前記ツールドライバーに係合する、請求項１８〜２０のいずれか１項に記載の装置。
【請求項２２】
前記１次ドライバー及び前記２次ドライバーはともに、前記２次ドライバーの前記伸長位置から離れかつ前記後退位置に向かって戻る方向に移動するように付勢される、請求項１８〜２１のいずれか１項に記載の装置。
【請求項２３】
前記１次ドライバー及び前記２次ドライバーは、前記１次ドライバーが前記伸長方向において該１次ドライバーの限界に達した後に、前記２次ドライバーの前記伸長位置から離れかつ前記後退位置に向かって戻る方向に付勢力の下で移動させられる、請求項１８〜２１のいずれか１項に記載の装置。
【請求項２４】
前記付勢力は、前記本体と、前記１次ドライバー及び前記２次ドライバーの一方又は両方と、前記２次ドライバーを作動させるアクチュエーターとの間で生成される、請求項２２又は２３に記載の装置。
【請求項２５】
組織穿孔パンチを駆動するように構成可能な装置であって、本体を備え、該本体は、
ａ）前記パンチに（直接的に又は間接的に）係合する１次ドライバーと、
ｂ）作動可能な２次ドライバーと、
を保持し、
前記２次ドライバーは、後退位置から伸長位置まで前記本体に対して移動するように作動させることができ、前記後退位置から前記伸長位置まで移動するとき、
ｉ．前記後退位置で、また前記伸長位置で、又は前記後退位置と前記伸長位置との間で、前記１次ドライバーは、前記２次ドライバーに結合して、初期送出しストロークのために前記２次ドライバーとともに移動し、
ｉｉ．前記後退位置と前記伸長位置との間で、前記初期送出しストローク後に、前記１次ドライバーは、前記２次ドライバーから切離されて、付勢力の影響下で、前記後退位置の方向に移動し、
ｉｉｉ．切離し後に、前記１次ドライバーは、前記２次ドライバーに結合して、最終送出しストロークのために前記２次ドライバーとともに移動し、
前記１次ドライバーは、前記２次ドライバーが前記後退位置と前記伸長位置との間の或る地点にあるときに前記１次ドライバーが前記２次ドライバーから一時的に切離されているときを除いて、前記後退位置と前記伸長位置との間で前記伸長位置まで移動するときに、前記２次ドライバーに解放可能に結合されることによって、前記本体に対して前記２次ドライバーによって駆動することができ、また、付勢力下で、前記２次ドライバーが該２次ドライバーの伸長位置に向かって移動するときに前記１次ドライバーと前記２次ドライバーとの間に第２の結合が確立されるまで、前記伸長位置から離れるように移動される、装置。
【国際調査報告】
2019512689.tif 000058
2019512689.tif 000059
2019512689.tif 000060
2019512689.tif 000061
2019512689.tif 000062
2019512689.tif 000063
2019512689.tif 000064
2019512689.tif 000065